(57)【要約】【課題】従来技術においては、電池の構成部材の間の接合強度を高めることが望まれる。【解決手段】電池は、第１集電体と、第１電極層と、第１対極層と、を備え、前記第１対極層は、前記第１電極層の対極であり、前記第１集電体は、第１導電部分と、第２導電部分と、第１絶縁部分と、を有し、前記第１電極層は、前記第１導電部分に接して、配置され、前記第１対極層は、前記第２導電部分に接して、配置され、前記第１絶縁部分は、前記第１導電部分と前記第２導電部分とを連結し、前記第１集電体が前記第１絶縁部分において折り曲げられていることで、前記第１電極層と前記第１対極層とは、互いに対向して、位置する。【選択図】図１
2018181837.tif 000002
【特許請求の範囲】
【請求項１】
第１集電体と、第１電極層と、第１対極層と、を備え、
前記第１対極層は、前記第１電極層の対極であり、
前記第１集電体は、第１導電部分と、第２導電部分と、第１絶縁部分と、を有し、
前記第１電極層は、前記第１導電部分に接して、配置され、
前記第１対極層は、前記第２導電部分に接して、配置され、
前記第１絶縁部分は、前記第１導電部分と前記第２導電部分とを連結し、
前記第１集電体が前記第１絶縁部分において折り曲げられていることで、前記第１電極層と前記第１対極層とは、互いに対向して、位置する、
電池。
【請求項２】
第２電極層と、第２対極層と、をさらに備え、
前記第２対極層は、前記第１電極層および前記第２電極層の対極であり、
前記第１集電体は、第２絶縁部分と、第３導電部分と、を有し、
前記第２電極層は、前記第２導電部分に接して、配置され、
前記第２対極層は、前記第３導電部分に接して、配置され、
前記第２絶縁部分は、前記第２導電部分と前記第３導電部分とを連結し、
前記第１集電体が前記第２絶縁部分において折り曲げられていることで、前記第２電極層と前記第２対極層とは、互いに対向して、位置する、
請求項１に記載の電池。
【請求項３】
第３電極層と、第３対極層と、をさらに備え、
前記第３対極層は、前記第１電極層および前記第２電極層および前記第３電極層の対極であり、
前記第１集電体は、第３絶縁部分と、第４導電部分と、を有し、
前記第３電極層は、前記第３導電部分に接して、配置され、
前記第３対極層は、前記第４導電部分に接して、配置され、
前記第３絶縁部分は、前記第３導電部分と前記第４導電部分とを連結し、
前記第１集電体が前記第３絶縁部分において折り曲げられていることで、前記第３電極層と前記第３対極層とは、互いに、対向して位置する、
請求項２に記載の電池。
【請求項４】
前記第１絶縁部分は、前記第２導電部分よりも前記第２電極層が配置される側に張り出す第１張出部分を有し、
前記第２絶縁部分は、前記第２導電部分よりも前記第１対極層が配置される側に張り出すか、または、前記第３導電部分よりも前記第３電極層が配置される側に張り出す第２張出部分を有し、
前記第３絶縁部分は、前記第３導電部分よりも前記第２対極層が配置される側に張り出す第３張出部分を有する、
請求項３に記載の電池。
【請求項５】
前記第１絶縁部分と前記第３絶縁部分とは、互いに、接触する、
請求項３または４に記載の電池。
【請求項６】
第１固体電解質層と、第２固体電解質層と、第３固体電解質層と、をさらに備え、
前記第１固体電解質層は、前記第１電極層と前記第１対極層の間に位置し、
前記第２固体電解質層は、前記第２電極層と前記第２対極層の間に位置し、
前記第３固体電解質層は、前記第３電極層と前記第３対極層の間に位置する、
請求項３から５のいずれかに記載の電池。
【請求項７】
第２集電体と、第４電極層と、第４対極層と、をさらに備え、
前記第４対極層は、前記第１電極層および前記第４電極層の対極であり、
前記第２集電体は、第５導電部分を有し、
前記第５導電部分は、前記第１導電部分と前記第２導電部分との間に、配置され、
前記第４電極層は、前記第５導電部分に接して、前記第１対極層と対向する位置に、配置され、
前記第４対極層は、前記第５導電部分に接して、前記第１電極層と対向する位置に、配置される、
請求項１に記載の電池。
【請求項８】
第２電極層と、第５対極層と、をさらに備え、
前記第５対極層は、前記第１電極層および前記第２電極層および前記第４電極層の対極であり、
前記第２集電体は、第６導電部分と、第４絶縁部分と、を有し、
前記第２電極層は、前記第２導電部分に接して、配置され、
前記第５対極層は、前記第６導電部分に接して、配置され、
前記第４絶縁部分は、前記第５導電部分と前記第６導電部分とを連結し、
前記第２集電体が前記第４絶縁部分において折り曲げられていることで、前記第２電極層と前記第５対極層とは、互いに対向して、位置する、
請求項７に記載の電池。
【請求項９】
第５電極層と、第２対極層と、をさらに備え、
前記第２対極層は、前記第１電極層および前記第２電極層および前記第４電極層および前記第５電極層の対極であり、
前記第１集電体は、第２絶縁部分と、第３導電部分と、を有し、
前記第５電極層は、前記第６導電部分に接して、配置され、
前記第２対極層は、前記第３導電部分に接して、配置され、
前記第２絶縁部分は、前記第２導電部分と前記第３導電部分とを連結し、
前記第１集電体が前記第２絶縁部分において折り曲げられていることで、前記第５電極層と前記第２対極層とは、互いに対向して、位置する、
請求項８に記載の電池。
【請求項１０】
第３電極層と、第６対極層と、をさらに備え、
前記第６対極層は、前記第１電極層および前記第２電極層および前記第３電極層および前記第４電極層および前記第５電極層の対極であり、
前記第２集電体は、第７導電部分と、第５絶縁部分と、を有し、
前記第３電極層は、前記第３導電部分に接して、配置され、
前記第６対極層は、前記第７導電部分に接して、配置され、
前記第５絶縁部分は、前記第６導電部分と前記第７導電部分とを連結し、
前記第２集電体が前記第５絶縁部分において折り曲げられていることで、前記第３電極層と前記第６対極層とは、互いに対向して、位置する、
請求項９に記載の電池。
【請求項１１】
第６電極層と、第３対極層と、をさらに備え、
前記第３対極層は、前記第１電極層および前記第２電極層および前記第３電極層および前記第４電極層および前記第５電極層および前記第６電極層の対極であり、
前記第１集電体は、第３絶縁部分と、第４導電部分と、を有し、
前記第６電極層は、前記第７導電部分に接して、配置され、
前記第３対極層は、前記第４導電部分に接して、配置され、
前記第３絶縁部分は、前記第３導電部分と前記第４導電部分とを連結し、
前記第１集電体が前記第３絶縁部分において折り曲げられていることで、前記第６電極層と前記第３対極層とは、互いに対向して、位置する、
請求項１０に記載の電池。
【請求項１２】
前記第４絶縁部分は、前記第５導電部分よりも前記第４対極層が配置される側に張り出すか、または、前記第６導電部分よりも前記第５電極層が配置される側に張り出す第４張出部分を有し、
前記第５絶縁部分は、前記第６導電部分よりも前記第５対極層が配置される側に張り出すか、または、前記第７導電部分よりも前記第６電極層が配置される側に張り出す第５張出部分を有する、
請求項１１に記載の電池。
【請求項１３】
前記第２集電体は、前記第７導電部分と連結される第６絶縁部分を有し、
前記第４絶縁部分と前記第６絶縁部分とは、互いに、接触する、
請求項１１または１２に記載の電池。
【請求項１４】
第１固体電解質層と、第２固体電解質層と、第３固体電解質層と、第４固体電解質層と、第５固体電解質層と、第６固体電解質層と、をさらに備え、
前記第１固体電解質層は、前記第１電極層と前記第４対極層の間に位置し、
前記第２固体電解質層は、前記第２電極層と前記第５対極層の間に位置し、
前記第３固体電解質層は、前記第３電極層と前記第６対極層の間に位置し、
前記第４固体電解質層は、前記第４電極層と前記第１対極層の間に位置し、
前記第５固体電解質層は、前記第５電極層と前記第２対極層の間に位置し、
前記第６固体電解質層は、前記第６電極層と前記第３対極層の間に位置する、
請求項１１から１３のいずれかに記載の電池。
【請求項１５】
電池製造装置を用いた電池製造方法であって、
前記電池製造装置は、電極層形成部と、対極層形成部と、第１集電体を折り曲げる集電体折曲部と、を備え、
前記第１集電体は、第１導電部分と、第２導電部分と、前記第１導電部分と前記第２導電部分とを連結する第１絶縁部分と、を有し、
前記電極層形成部により、前記第１導電部分に接して、第１電極層を形成する形成工程（ａ１）と、
前記対極層形成部により、前記第２導電部分に接して、前記第１電極層の対極である第１対極層を形成する形成工程（ｂ１）と、
前記集電体折曲部により、前記第１絶縁部分を折り曲げる折曲工程（ｃ１）と、
を包含し、
前記折曲工程（ｃ１）において、前記集電体折曲部により前記第１集電体が前記第１絶縁部分において折り曲げられることで、前記第１電極層と前記第１対極層とは、互いに、対向して位置する、
電池製造方法。
【請求項１６】
前記第１集電体は、第３導電部分と、前記第２導電部分と前記第３導電部分とを連結する第２絶縁部分と、を有し、
前記電極層形成部により、前記第２導電部分に接して、第２電極層を形成する形成工程（ａ２）と、
前記対極層形成部により、前記第３導電部分に接して、前記第２電極層の対極である第２対極層を形成する形成工程（ｂ２）と、
前記集電体折曲部により、前記第２絶縁部分を折り曲げる折曲工程（ｃ２）と、
を包含し、
前記折曲工程（ｃ２）において、前記集電体折曲部により前記第１集電体が前記第２絶縁部分において折り曲げられることで、前記第２電極層と前記第２対極層とは、互いに、対向して位置する、
請求項１５に記載の電池製造方法。
【請求項１７】
前記第１集電体は、第４導電部分と、前記第３導電部分と前記第４導電部分とを連結する第３絶縁部分と、を有し、
前記電極層形成部により、前記第３導電部分に接して、第３電極層を形成する形成工程（ａ３）と、
前記対極層形成部により、前記第４導電部分に接して、前記第３電極層の対極である第３対極層を形成する形成工程（ｂ３）と、
前記集電体折曲部により、前記第３絶縁部分を折り曲げる折曲工程（ｃ３）と、
をさらに包含し、
前記折曲工程（ｃ３）において、前記集電体折曲部により前記第１集電体が前記第３絶縁部分において折り曲げられることで、前記第３電極層と前記第３対極層とは、互いに、対向して位置する、
請求項１６に記載の電池製造方法。
【請求項１８】
前記電池製造装置は、張出部分形成部を備え、
前記折曲工程（ｃ１）よりも後に、前記張出部分形成部により、前記第２導電部分よりも前記第２電極層が配置される側に前記第１絶縁部分の一部を張り出させて、第１張出部分を形成する形成工程（ｄ１）と、
前記折曲工程（ｃ２）よりも後に、前記張出部分形成部により、前記第２導電部分よりも前記第１対極層が配置される側または前記第３導電部分よりも前記第３電極層が配置される側に前記第２絶縁部分の一部を張り出させて、第２張出部分を形成する形成工程（ｄ２）と、
前記折曲工程（ｃ３）よりも後に、前記張出部分形成部により、前記第３導電部分よりも前記第２対極層が配置される側に前記第３絶縁部分の一部を張り出させて、第３張出部分を形成する形成工程（ｄ３）と、
をさらに包含する、
請求項１７に記載の電池製造方法。
【請求項１９】
前記形成工程（ｄ１）と前記形成工程（ｄ３）とのうちの少なくとも一方が実行されることにより、前記第１絶縁部分と前記第３絶縁部分とは、互いに、接触される、
請求項１８に記載の電池製造方法。
【請求項２０】
前記電池製造装置は、絶縁部分収縮部を備え、
前記折曲工程（ｃ１）よりも後に、前記絶縁部分収縮部により、前記第１絶縁部分を収縮させる収縮工程（ｅ１）と、
前記折曲工程（ｃ２）よりも後に、前記絶縁部分収縮部により、前記第２絶縁部分を収縮させる収縮工程（ｅ２）と、
前記折曲工程（ｃ３）よりも後に、前記絶縁部分収縮部により、前記第３絶縁部分を収縮させる収縮工程（ｅ３）と、
をさらに包含する、
請求項１７に記載の電池製造方法。
【請求項２１】
前記電池製造装置は、固体電解質層形成部を備え、
前記固体電解質層形成部により、前記第１電極層と前記第１対極層とのうちの少なくとも一方の上に、第１固体電解質層を形成する形成工程（ｆ１）と、
前記固体電解質層形成部により、前記第２電極層と前記第２対極層とのうちの少なくとも一方の上に、第２固体電解質層を形成する形成工程（ｆ２）と、
前記固体電解質層形成部により、前記第３電極層と前記第３対極層とのうちの少なくとも一方の上に、第３固体電解質層を形成する形成工程（ｆ３）と、
をさらに包含する、
請求項１７から２０のいずれかに記載の電池製造方法。
【請求項２２】
前記電池製造装置は、前記第１集電体と第２集電体とを積層する積層部を備え、
前記第２集電体は、第５導電部分を有し、
前記電極層形成部により、前記第５導電部分に接して、第４電極層を形成する形成工程（ａ４）と、
前記対極層形成部により、前記第５導電部分に接して、前記第１電極層および前記第４電極層の対極である第４対極層を形成する形成工程（ｂ４）と、
前記積層部により、前記第４対極層と前記第１電極層とを互いに対向させて、前記第１集電体と第２集電体とを積層する積層工程（ｓ１）と、
をさらに包含し、
前記折曲工程（ｃ１）は、前記積層工程（ｓ１）よりも後に、実行され、
前記折曲工程（ｃ１）において、前記集電体折曲部により前記第１集電体が前記第１絶縁部分において折り曲げられることで、前記第４電極層と前記第１対極層とは、互いに、対向して位置する、
請求項１５に記載の電池製造方法。
【請求項２３】
前記第２集電体は、第６導電部分と、前記第５導電部分と前記第６導電部分とを連結する第４絶縁部分と、を有し、
前記電極層形成部により、前記第２導電部分に接して、第２電極層を形成する形成工程（ａ２）と、
前記対極層形成部により、前記第６導電部分に接して、前記第１電極層および前記第２電極層および前記第４電極層の対極である第５対極層を形成する形成工程（ｂ５）と、
前記折曲工程（ｃ１）よりも後に、前記集電体折曲部により、前記第４絶縁部分を折り曲げる折曲工程（ｃ４）と、
をさらに包含し、
前記折曲工程（ｃ４）において、前記集電体折曲部により前記第２集電体が前記第４絶縁部分において折り曲げられることで、前記第２電極層と前記第５対極層とは、互いに、対向して位置する、
請求項２２に記載の電池製造方法。
【請求項２４】
前記第１集電体は、第３導電部分と、前記第２導電部分と前記第３導電部分とを連結する第２絶縁部分と、を有し、
前記電極層形成部により、前記第６導電部分に接して、第５電極層を形成する形成工程（ａ５）と、
前記対極層形成部により、前記第３導電部分に接して、前記第１電極層および前記第２電極層および前記第４電極層および前記第５電極層の対極である第２対極層を形成する形成工程（ｂ２）と、
前記折曲工程（ｃ４）よりも後に、前記集電体折曲部により、前記第２絶縁部分を折り曲げる折曲工程（ｃ２）と、
をさらに包含し、
前記折曲工程（ｃ２）において、前記集電体折曲部により前記第１集電体が前記第２絶縁部分において折り曲げられることで、前記第５電極層と前記第２対極層とは、互いに、対向して位置する、
請求項２３に記載の電池製造方法。
【請求項２５】
前記第２集電体は、第７導電部分と、前記第６導電部分と前記第７導電部分とを連結する第５絶縁部分と、を有し、
前記電極層形成部により、前記第３導電部分に接して、第３電極層を形成する形成工程（ａ３）と、
前記対極層形成部により、前記第７導電部分に接して、前記第１電極層および前記第２電極層および前記第３電極層および前記第４電極層および前記第５電極層の対極である第６対極層を形成する形成工程（ｂ６）と、
前記折曲工程（ｃ２）よりも後に、前記集電体折曲部により、前記第５絶縁部分を折り曲げる折曲工程（ｃ５）と、
をさらに包含し、
前記折曲工程（ｃ５）において、前記集電体折曲部により前記第２集電体が前記第５絶縁部分において折り曲げられることで、前記第３電極層と前記第６対極層とは、互いに、対向して位置する、
請求項２４に記載の電池製造方法。
【請求項２６】
前記第１集電体は、第４導電部分と、前記第３導電部分と前記第４導電部分とを連結する第３絶縁部分と、を有し、
前記電極層形成部により、前記第７導電部分に接して、第６電極層を形成する形成工程（ａ６）と、
前記対極層形成部により、前記第４導電部分に接して、前記第１電極層および前記第２電極層および前記第３電極層および前記第４電極層および前記第５電極層および前記第６電極層の対極である第３対極層を形成する形成工程（ｂ３）と、
前記折曲工程（ｃ５）よりも後に、前記集電体折曲部により、前記第３絶縁部分を折り曲げる折曲工程（ｃ３）と、
をさらに包含し、
前記折曲工程（ｃ３）において、前記集電体折曲部により前記第１集電体が前記第３絶縁部分において折り曲げられることで、前記第６電極層と前記第３対極層とは、互いに、対向して位置する、
請求項２５に記載の電池製造方法。
【請求項２７】
前記電池製造装置は、張出部分形成部を備え、
前記折曲工程（ｃ４）よりも後に、前記張出部分形成部により、前記第５導電部分よりも前記第４対極層が配置される側または前記第６導電部分よりも前記第５電極層が配置される側に前記第４絶縁部分の一部を張り出させて、第４張出部分を形成する形成工程（ｄ４）と、
前記折曲工程（ｃ５）よりも後に、前記張出部分形成部により、前記第６導電部分よりも前記第５対極層が配置される側または前記第７導電部分よりも前記第６電極層が配置される側に前記第５絶縁部分の一部を張り出させて、第５張出部分を形成する形成工程（ｄ５）と、
をさらに包含する、
請求項２６に記載の電池製造方法。
【請求項２８】
前記第２集電体は、前記第７導電部分と連結される第６絶縁部分を有し、
前記形成工程（ｄ４）により、前記第４絶縁部分と前記第６絶縁部分とは、互いに、接触される、
請求項２７に記載の電池製造方法。
【請求項２９】
前記電池製造装置は、絶縁部分収縮部を備え、
前記折曲工程（ｃ４）よりも後に、前記絶縁部分収縮部により、前記第４絶縁部分を収縮させる収縮工程（ｅ４）と、
前記折曲工程（ｃ５）よりも後に、前記絶縁部分収縮部により、前記第５絶縁部分を収縮させる収縮工程（ｅ５）と、
をさらに包含する、
請求項２６に記載の電池製造方法。
【請求項３０】
前記電池製造装置は、固体電解質層形成部を備え、
前記固体電解質層形成部により、前記第１電極層と前記第４対極層とのうちの少なくとも一方の上に、第１固体電解質層を形成する形成工程（ｇ１）と、
前記固体電解質層形成部により、前記第２電極層と前記第５対極層とのうちの少なくとも一方の上に、第２固体電解質層を形成する形成工程（ｇ２）と、
前記固体電解質層形成部により、前記第３電極層と前記第６対極層とのうちの少なくとも一方の上に、第３固体電解質層を形成する形成工程（ｇ３）と、
前記固体電解質層形成部により、前記第４電極層と前記第１対極層とのうちの少なくとも一方の上に、第４固体電解質層を形成する形成工程（ｇ４）と、
前記固体電解質層形成部により、前記第５電極層と前記第２対極層とのうちの少なくとも一方の上に、第５固体電解質層を形成する形成工程（ｇ５）と、
前記固体電解質層形成部により、前記第６電極層と前記第３対極層とのうちの少なくとも一方の上に、第６固体電解質層を形成する形成工程（ｇ６）と、
をさらに包含する、
請求項２６から２９のいずれかに記載の電池製造方法。
【発明の詳細な説明】
【技術分野】
【０００１】
本開示は、電池、および、電池製造方法に関する。
【背景技術】
【０００２】
特許文献１には、帯状に成形された正、負各極を、一方の極の両面に他方の極が対向するように配して、折り畳むことにより形成した電極体を持つ積層型電池が開示されている。
【０００３】
特許文献２には、正極と負極がセパレータを介して交互に交差して折り畳まれた構造の二次電池が開示されている。
【０００４】
特許文献３には、帯状正極集電体と帯状負極集電体を交差させて交互に折り込む工程を含む固体組電池の製造方法が開示されている。
【先行技術文献】
【特許文献】
【０００５】
【特許文献１】特開平８−２０３５３９号公報
【特許文献２】国際公開第８８／００８２１０号
【特許文献３】特許第５５９９３６６号明細書
【発明の概要】
【発明が解決しようとする課題】
【０００６】
従来技術においては、電池の構成部材の間の接合強度を高めることが望まれる。
【課題を解決するための手段】
【０００７】
本開示の一様態における電池は、第１集電体と、第１電極層と、第１対極層と、を備え、前記第１対極層は、前記第１電極層の対極であり、前記第１集電体は、第１導電部分と、第２導電部分と、第１絶縁部分と、を有し、前記第１電極層は、前記第１導電部分に接して、配置され、前記第１対極層は、前記第２導電部分に接して、配置され、前記第１絶縁部分は、前記第１導電部分と前記第２導電部分とを連結し、前記第１集電体が前記第１絶縁部分において折り曲げられていることで、前記第１電極層と前記第１対極層とは、互いに対向して、位置する。
【０００８】
また、本開示の一様態における電池製造方法は、電池製造装置を用いた電池製造方法であって、前記電池製造装置は、電極層形成部と、対極層形成部と、第１集電体を折り曲げる集電体折曲部と、を備え、前記第１集電体は、第１導電部分と、第２導電部分と、前記第１導電部分と前記第２導電部分とを連結する第１絶縁部分と、を有し、前記電極層形成部により、前記第１導電部分に接して、第１電極層を形成する形成工程（ａ１）と、前記対極層形成部により、前記第２導電部分に接して、前記第１電極層の対極である第１対極層を形成する形成工程（ｂ１）と、前記集電体折曲部により、前記第１絶縁部分を折り曲げる折曲工程（ｃ１）と、を包含し、前記折曲工程（ｃ１）において、前記集電体折曲部により前記第１集電体が前記第１絶縁部分において折り曲げられることで、前記第１電極層と前記第１対極層とは、互いに、対向して位置する。
【発明の効果】
【０００９】
本開示によれば、電池の構成部材の間の接合強度を高めることができる。
【図面の簡単な説明】
【００１０】
【図１】図１は、実施の形態１における電池１０００の概略構成を示す斜視図である。
【図２】図２は、実施の形態１における電池１０００の概略構成を示す図である。
【図３】図３は、第１集電体１００の一例の概略構成を示す図である。
【図４】図４は、第１集電体１００の一例の概略構成を示す図である。
【図５】図５は、第１集電体１００の一例の概略構成を示す図である。
【図６】図６は、実施の形態１における電池１１００の概略構成を示す斜視図である。
【図７】図７は、実施の形態１における電池１１００の概略構成を示すｘ−ｚ図（断面図）である。
【図８】図８は、実施の形態１における電池１２００の概略構成を示す斜視図である。
【図９】図９は、実施の形態１における電池１２００の概略構成を示すｘ−ｚ図（断面図）である。
【図１０】図１０は、実施の形態１における電池１３００の概略構成を示すｘ−ｚ図（断面図）である。
【図１１】図１１は、実施の形態１における電池１４００の概略構成を示すｘ−ｚ図（断面図）である。
【図１２】図１２は、実施の形態１における電池１５００の概略構成を示すｘ−ｚ図（断面図）である。
【図１３】図１３は、実施の形態２における電池２０００の概略構成を示す斜視図である。
【図１４】図１４は、実施の形態２における電池２０００の概略構成を示すｘ−ｚ図（１３Ａ断面図）である。
【図１５】図１５は、実施の形態２における電池２０００の概略構成を示すｙ−ｚ図（１３Ｂ断面図）である。
【図１６】図１６は、実施の形態２における電池２１００の概略構成を示す斜視図である。
【図１７】図１７は、実施の形態２における電池２１００の概略構成を示すｘ−ｚ図（１６Ａ断面図）である。
【図１８】図１８は、実施の形態２における電池２１００の概略構成を示すｙ−ｚ図（１６Ｂ断面図）である。
【図１９】図１９は、実施の形態２における電池２２００の概略構成を示す斜視図である。
【図２０】図２０は、実施の形態２における電池２２００の概略構成を示すｘ−ｚ図（１９Ａ断面図）である。
【図２１】図２１は、実施の形態２における電池２２００の概略構成を示すｙ−ｚ図（１９Ｂ断面図）である。
【図２２】図２２は、実施の形態２における電池２３００の概略構成を示す斜視図である。
【図２３】図２３は、実施の形態２における電池２３００の概略構成を示すｘ−ｚ図（２２Ａ断面図）である。
【図２４】図２４は、実施の形態２における電池２３００の概略構成を示すｙ−ｚ図（２２Ｂ断面図）である。
【図２５】図２５は、実施の形態２における電池２４００の概略構成を示す斜視図である。
【図２６】図２６は、実施の形態２における電池２４００の概略構成を示すｘ−ｚ図（２５Ａ断面図）である。
【図２７】図２７は、実施の形態２における電池２４００の概略構成を示すｙ−ｚ図（２５Ｂ断面図）である。
【図２８】図２８は、実施の形態２における電池２５００の概略構成を示すｙ−ｚ図（断面図）である。
【図２９】図２９は、実施の形態２における電池２６００の概略構成を示すｙ−ｚ図（断面図）である。
【図３０】図３０は、実施の形態２における電池２７００の概略構成を示すｙ−ｚ図（断面図）である。
【図３１】図３１は、実施の形態２における電池２５１０の概略構成を示すｙ−ｚ図（断面図）である。
【図３２】図３２は、実施の形態２における電池２６１０の概略構成を示すｙ−ｚ図（断面図）である。
【図３３】図３３は、実施の形態２における電池２７１０の概略構成を示すｙ−ｚ図（断面図）である。
【図３４】図３４は、実施の形態３における電池製造装置３０００の概略構成を示す図である。
【図３５】図３５は、実施の形態３における電池製造方法の一例を示すフローチャートである。
【図３６】図３６は、実施の形態３における電池製造装置３１００の概略構成を示す図である。
【図３７】図３７は、実施の形態３における電池製造方法の一例を示すフローチャートである。
【図３８】図３８は、実施の形態３における電池製造方法の一例を示すフローチャートである。
【図３９】図３９は、実施の形態３における電池製造方法の一例を示すフローチャートである。
【図４０】図４０は、実施の形態３における電池製造方法の一例を示すフローチャートである。
【図４１】図４１は、実施の形態３における電池製造方法の一例を示すフローチャートである。
【図４２】図４２は、実施の形態３における第１集電体１００の一例の概略構成を示す図である。
【図４３】図４３は、第１電極層形成工程Ｓ１１０１と第２電極層形成工程Ｓ１１０２と第３電極層形成工程Ｓ１１０３の一例を示す図である。
【図４４】図４４は、第１対極層形成工程Ｓ１２０１と第２対極層形成工程Ｓ１２０２と第３対極層形成工程Ｓ１２０３の一例を示す図である。
【図４５】図４５は、第１固体電解質層形成工程Ｓ１４０１と第２固体電解質層形成工程Ｓ１４０２と第３固体電解質層形成工程Ｓ１４０３の一例を示す図である。
【図４６】図４６は、電極層と対極層と固体電解質層とが形成された第１集電体１００の概略構成を示すｘ−ｚ図（断面図）である。
【図４７】図４７は、第１絶縁部分折曲工程Ｓ１３０１と第２絶縁部分折曲工程Ｓ１３０２と第３絶縁部分折曲工程Ｓ１３０３の一例を示すｘ−ｚ図（断面図）である。
【図４８】図４８は、実施の形態３における電池製造装置３２００の概略構成を示す図である。
【図４９】図４９は、実施の形態３における電池製造方法の一例を示すフローチャートである。
【図５０】図５０は、実施の形態３における電池製造装置３３００の概略構成を示す図である。
【図５１】図５１は、実施の形態３における電池製造方法の一例を示すフローチャートである。
【図５２】図５２は、第１絶縁部分収縮工程Ｓ１６０１と第２絶縁部分収縮工程Ｓ１６０２と第３絶縁部分収縮工程Ｓ１６０３の一例を示すｘ−ｚ図（断面図）である。
【図５３】図５３は、実施の形態３における電池製造装置３４００の概略構成を示す図である。
【図５４】図５４は、実施の形態３における第２集電体２００の一例の概略構成を示す図である。
【図５５】図５５は、第２集電体準備工程Ｓ２００の一例を示す図である。
【図５６】図５６は、第１集電体１００と第２集電体２００の組み合わせの一例を示す断面図である。
【図５７】図５７は、第１集電体１００と第２集電体２００の組み合わせの一例を示す断面図である。
【図５８】図５８は、第１集電体１００と第２集電体２００の組み合わせの一例を示す断面図である。
【図５９】図５９は、第１集電体１００と第２集電体２００の組み合わせの一例を示す断面図である。
【図６０】図６０は、第１集電体１００と第２集電体２００の組み合わせの一例を示す断面図である。
【図６１】図６１は、第１集電体１００と第２集電体２００の組み合わせの一例を示す断面図である。
【図６２】図６２は、実施の形態３における電池製造方法の一例を示すフローチャートである。
【図６３】図６３は、実施の形態３における電池製造方法の一例を示すフローチャートである。
【図６４】図６４は、実施の形態３における電池製造方法の一例を示すフローチャートである。
【図６５】図６５は、実施の形態３における電池製造方法の一例を示すフローチャートである。
【図６６】図６６は、実施の形態３における電池製造方法の一例を示すフローチャートである。
【図６７】図６７は、積層工程Ｓ１７００と各絶縁部分折曲工程の一例を示すｘ−ｙ図（上面図）である。
【図６８】図６８は、第１集電体１００と第２集電体２００の積層の一例を示すｘ−ｙ図（上面図）である。
【図６９】図６９は、実施の形態３における電池製造方法の一例を示すフローチャートである。
【図７０】図７０は、実施の形態３における電池製造方法の一例を示すフローチャートである。
【発明を実施するための形態】
【００１１】
以下、実施の形態が、図面を参照しながら、説明される。
【００１２】
（実施の形態１）
図１は、実施の形態１における電池１０００の概略構成を示す斜視図である。
【００１３】
図２は、実施の形態１における電池１０００の概略構成を示す図である。
【００１４】
図２（ａ）は、実施の形態１における電池１０００の概略構成を示すｘ−ｚ図（２Ａ断面図）である。
【００１５】
図２（ｂ）は、実施の形態１における電池１０００の概略構成を示すｘ−ｙ図（２Ｂ断面図）である。
【００１６】
実施の形態１における電池１０００は、第１集電体１００と、第１電極層３１１と、第１対極層３１２と、を備える。
【００１７】
第１対極層３１２は、第１電極層３１１の対極である。
【００１８】
第１集電体１００は、第１導電部分１１１と、第２導電部分１１２と、第１絶縁部分１２１と、を有する。
【００１９】
第１電極層３１１は、第１導電部分１１１に接して、配置される。
【００２０】
第１対極層３１２は、第２導電部分１１２に接して、配置される。
【００２１】
第１絶縁部分１２１は、第１導電部分１１１と第２導電部分１１２とを連結する部材である。
【００２２】
第１集電体１００が第１絶縁部分１２１において折り曲げられていることで、第１電極層３１１と第１対極層３１２とは、互いに対向して、位置する。
【００２３】
以上の構成によれば、電池の構成部材の間の接合強度を高めることができる。すなわち、第１絶縁部分１２１により互いに連結される第１導電部分１１１と第２導電部分１１２とに、それぞれ、第１電極層３１１と第１対極層３１２とを、配置することができる。これにより、第１導電部分１１１に配置される第１電極層３１１と第２導電部分１１２に配置される第１対極層３１２との位置関係を、第１絶縁部分１２１により（言い換えれば、１つの構成部材である第１集電体１００により）、強固に維持することができる。これにより、例えば、電池製造時または電池使用時における衝撃または振動などによって、電池を構成する各層（または、各素電池）が位置ずれまたは分離することを防止できる。すなわち、電池を構成する各層（例えば、第１電極層３１１と第１対極層３１２）の接合の強度を、第１集電体１００により、高めることができる。これにより、電池の信頼性を向上させることができる。
【００２４】
また、以上の構成によれば、電池の側面のうち、第１絶縁部分１２１が位置する側面を、第１絶縁部分１２１により、覆うことができる。これにより、電池外部に存在しうる部材（例えば、別の電池、など）と、第１絶縁部分１２１が位置する電池の側面とが、互いに接触することを、第１絶縁部分１２１により、防ぐことができる。したがって、電池同士の接触による短絡を抑制できる。また、電池と電池外部に存在しうる部材との接触による電池の側面の部分的な破壊を抑制できる。また、電池の側面の一部が第１絶縁部分１２１により覆われることで、電池の構成部材（例えば、第１電極層３１１に含まれる電極材料、第１対極層３１２に含まれる対極材料、など）の一部が崩落した場合であっても、第１絶縁部分１２１により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【００２５】
なお、実施の形態１における電池１０００は、図２に示されるように、第１固体電解質層３１３をさらに備えてもよい。
【００２６】
第１固体電解質層３１３は、第１電極層３１１と第１対極層３１２との間に、配置される。
【００２７】
以上の構成によれば、第１電極層３１１と第１対極層３１２と第１固体電解質層３１３とにより、１つの固体電池セル（第１発電要素３１０）を構成することができる。
【００２８】
なお、実施の形態１における電池１０００においては、第１固体電解質層３１３は、第１導電部分１１１と第２導電部分１１２とに接して、配置されてもよい。
【００２９】
以上の構成によれば、電池の構成部材の間の接合強度を、より高めることができる。すなわち、第１固体電解質層３１３により、第１導電部分１１１と第２導電部分１１２との間の接合強度を高めることができる。これにより、第２導電部分１１２から第１対極層３１２が剥がれることを抑制できる。さらに、第１導電部分１１１から第１電極層３１１が剥がれることを抑制できる。このため、例えば、電池製造時または電池使用時における衝撃または振動などによって、第１発電要素３１０を構成する各層が位置ずれまたは分離することを防止できる。これにより、電池の信頼性を、より向上させることができる。
【００３０】
第１導電部分１１１と第２導電部分１１２とは、導電性を有する部材である。第１導電部分１１１と第２導電部分１１２とは、例えば、導電性を有する薄膜であってもよい。第１導電部分１１１と第２導電部分１１２とを構成する材料としては、例えば、金属（ＳＵＳ、Ａｌ、Ｃｕ、など）が用いられうる。また、第１導電部分１１１と第２導電部分１１２において、電極層が配置される主面の材質は、対極層が配置される主面の材質と、異なってもよい。すなわち、第１導電部分１１１と第２導電部分１１２としては、多層構造の金属箔が用いられてもよい。また、電極層または対極層に接する部分に、集電体層（例えば、導電性材料を含む層）を備えてもよい。第１導電部分１１１と第２導電部分１１２の厚みは、例えば、５〜１００μｍであってもよい。
【００３１】
第１発電要素３１０は、例えば、充電および放電の特性を有する発電部（例えば、二次電池）である。例えば、第１発電要素３１０は、単電池セルであってもよい。
【００３２】
なお、第１発電要素３１０は、固体電解質層を備えてもよい。すなわち、第１発電要素３１０は、全固体電池であってもよい。
【００３３】
第１電極層３１１は、電極材料（例えば、活物質）を含む層である。
【００３４】
第１対極層３１２は、対極材料（例えば、活物質）を含む層である。対極材料は、電極材料の対極を構成する材料である。
【００３５】
また、図２に示されるように、第１電極層３１１と第１対極層３１２とは、それぞれ、第１導電部分１１１と第２導電部分１１２よりも狭い範囲に、形成されてもよい。
【００３６】
第１固体電解質層３１３は、固体電解質を含む固体電解質層である。
【００３７】
また、図２に示されるように、第１固体電解質層３１３は、第１電極層３１１と第１対極層３１２よりも大面積に、配置されてもよい。すなわち、第１固体電解質層３１３は、第１電極層３１１と第１対極層３１２とを覆う形で、配置されてもよい。これにより、第１電極層３１１と第１対極層３１２との直接接触による短絡を防止できる。
【００３８】
また、図２に示されるように、第１固体電解質層３１３は、第１導電部分１１１と第２導電部分１１２よりも狭い範囲に、配置されてもよい。もしくは、第１固体電解質層３１３の形成範囲は、第１導電部分１１１と第２導電部分１１２と同じ範囲であってもよい。
【００３９】
なお、第１電極層３１１は負極活物質層であってもよい。このとき、電極材料は負極活物質である。第１導電部分１１１は負極集電体である。第１対極層３１２は正極活物質層である。対極材料は正極活物質である。第２導電部分１１２は正極集電体である。
【００４０】
もしくは、第１電極層３１１は正極活物質層であってもよい。このとき、電極材料は正極活物質である。第１導電部分１１１は正極集電体である。第１対極層３１２は負極活物質層である。対極材料は負極活物質である。第２導電部分１１２は負極集電体である。
【００４１】
正極活物質層に含有される正極活物質としては、公知の正極活物質（例えば、コバルト酸リチウム、ＬｉＮＯ、など）が用いられうる。正極活物質の材料としては、ＬｉまたはＭｇなどのイオンを離脱および挿入することができる各種材料が用いられうる。
【００４２】
また、正極活物質層の含有材料としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。正極活物質の表面は、固体電解質でコートされていてもよい。また、正極活物質層の含有材料としては、導電材（例えば、アセチレンブラックなど）、結着用バインダー（例えば、ポリフッ化ビニリデンなど）、など、が用いられうる。
【００４３】
これら正極活物質層の含有材料を溶媒と共に練り込んだペースト状の塗料を正極集電体面上に塗工乾燥して正極活物質層が作製されうる。正極活物質層の密度を高めるために、乾燥後にプレスしておいてもよい。このようにして作製される正極活物質層の厚みは、例えば、５〜３００μｍである。
【００４４】
正極集電体としては、金属箔（例えば、ＳＵＳ箔、Ａｌ箔）、など、が用いられうる。
【００４５】
負極活物質層に含有される負極活物質としては、公知の負極活物質（例えば、グラファイト、など）が用いられうる。負極活物質の材料としては、ＬｉまたはＭｇなどのイオンを離脱および挿入することができる各種材料が用いられうる。
【００４６】
また、負極活物質層の含有材料としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。また、負極活物質層の含有材料としては、導電材（例えば、アセチレンブラックなど）、結着用バインダー（例えば、ポリフッ化ビニリデンなど）、など、が用いられうる。
【００４７】
これら負極活物質層の含有材料を溶媒と共に練り込んだペースト状の塗料を負極集電体上に塗工乾燥して負極活物質層が作製されうる。負極活物質層の密度を高めるために、負極板をプレスしておいてもよい。このようにして作製される負極活物質層の厚みは、例えば、５〜３００μｍである。
【００４８】
負極集電体としては、金属箔（例えば、ＳＵＳ箔、Ｃｕ箔）、など、が用いられうる。
【００４９】
正極活物質層と負極活物質層との形成範囲は、同じであってもよい。もしくは、正極活物質層の形成範囲よりも、負極活物質層の形成範囲を、大きくしてもよい。これにより、例えば、リチウム析出（または、マグネシウム析出）による電池の信頼性低下を防止することができる。
【００５０】
固体電解質層に含有される固体電解質としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。
【００５１】
また、固体電解質層の含有材料としては、結着用バインダー（例えば、ポリフッ化ビニリデンなど）、など、が用いられうる。
【００５２】
これらの含有材料を溶媒と共に練り込んだペースト状の塗料を正極活物質層または負極活物質層上に塗工乾燥して固体電解質層が作製されうる。
【００５３】
第１絶縁部分１２１は、絶縁性の材料（すなわち、導電性が無い材料、または、導電性が十分に低い材料）から構成される部材である。第１絶縁部分１２１の材料としては、例えば、樹脂などが用いられうる。第１絶縁部分１２１は、例えば、樹脂からなる膜（もしくは、メッシュ）であってもよい。第１絶縁部分１２１の厚みは、例えば、５〜１００μｍであってもよい。
【００５４】
第１絶縁部分１２１は、第１導電部分１１１と第２導電部分１１２とに連結される。すなわち、第１絶縁部分１２１の一端は、第１導電部分１１１（例えば、第１導電部分１１１の端部）に接続（例えば、接合）される。さらに、第１絶縁部分１２１の別の一端は、第２導電部分１１２（例えば、第２導電部分１１２の端部）に接続（例えば、接合）される。
【００５５】
第１集電体１００は、それぞれ個別に準備された、第１導電部分１１１と第２導電部分１１２と第１絶縁部分１２１とを組み合わせる（すなわち、互いに接続する）ことで、作製されてもよい。
【００５６】
図３は、第１集電体１００の一例の概略構成を示す図である。
【００５７】
図３（ａ）は、第１集電体１００の一例の概略構成を示すｘ−ｚ図（３Ａ断面図）である。
【００５８】
図３（ｂ）は、第１集電体１００の一例の概略構成を示すｘ−ｙ図（上面図）である。
【００５９】
図３に示されるように、第１導電部分１１１と第２導電部分１１２とのうちの少なくとも一方（もしくは、両方）は、第１絶縁部分１２１と、突き合せ接続されてもよい。すなわち、第１導電部分１１１と第２導電部分１１２の側面と第１絶縁部分１２１とが、接続（例えば、接合）されてもよい。
【００６０】
以上の構成によれば、第１集電体１００における段差を小さくできる。このため、例えば、電池の製造時の巻き取り後の形状が改善できる。これにより、より高エネルギー密度の電池を実現できる。
【００６１】
図４は、第１集電体１００の一例の概略構成を示す図である。
【００６２】
図４（ａ）は、第１集電体１００の一例の概略構成を示すｘ−ｚ図（４Ａ断面図）である。
【００６３】
図４（ｂ）は、第１集電体１００の一例の概略構成を示すｘ−ｙ図（上面図）である。
【００６４】
図４に示されるように、第１導電部分１１１と第２導電部分１１２との端部（図４に示されるＳ１とＳ２）のうちの少なくとも一方（もしくは、両方）に、第１絶縁部分１２１が重ね合わされて、接続されてもよい。
【００６５】
以上の構成によれば、接合面積を大きくすることができる。このため、接合強度を高めることができる。
【００６６】
図５は、第１集電体１００の一例の概略構成を示す図である。
【００６７】
図５（ａ）は、第１集電体１００の一例の概略構成を示すｘ−ｚ図（５Ａ断面図）である。
【００６８】
図５（ｂ）は、第１集電体１００の一例の概略構成を示すｘ−ｙ図（上面図）である。
【００６９】
図５に示されるように、第１導電部分１１１と第２導電部分１１２とのうちの少なくとも一方（もしくは、両方）は、第１絶縁部分１２１と、嵌合接続されてもよい。すなわち、第１導電部分１１１と第２導電部分１１２とが、第１絶縁部分１２１に形成された開口部分に、それぞれ、嵌め込まれてもよい。これにより、第１絶縁部分１２１の開口部分に、第１導電部分１１１と第２導電部分１１２とが固定されてもよい。
【００７０】
以上の構成によれば、第１集電体１００における段差を小さくできる。このため、例えば、電池の製造時の巻き取り後の形状が改善できる。これにより、より高エネルギー密度の電池を実現できる。さらに、第１集電体１００の全体に渡って、第１絶縁部分１２１を連続体として構成することができる。これにより、第１集電体１００の引っ張り強度を高めることができる。
【００７１】
なお、第１絶縁部分１２１は、第１集電体１００の一部（導電部分）が、例えば、化学処理（酸化、など）により非導電性とされる（例えば、導電性が十分に低減される）ことで形成される部分であってもよい。
【００７２】
図６は、実施の形態１における電池１１００の概略構成を示す斜視図である。
【００７３】
図７は、実施の形態１における電池１１００の概略構成を示すｘ−ｚ図（断面図）である。
【００７４】
実施の形態１における電池１１００は、上述の実施の形態１における電池１０００の構成に加えて、下記の構成をさらに備える。
【００７５】
すなわち、実施の形態１における電池１１００は、第２電極層３２１と、第２対極層３２２と、をさらに備える。
【００７６】
第２対極層３２２は、第１電極層３１１および第２電極層３２１の対極である。
【００７７】
第１集電体１００は、第２絶縁部分１２２と、第３導電部分１１３と、を有する。
【００７８】
第２電極層３２１は、第２導電部分１１２に接して、配置される。
【００７９】
第２対極層３２２は、第３導電部分１１３に接して、配置される。
【００８０】
第２絶縁部分１２２は、第２導電部分１１２と前記第３導電部分１１３とを連結する部材である。
【００８１】
第１集電体１００が第２絶縁部分１２２において折り曲げられていることで、第２電極層３２１と第２対極層３２２とは、互いに対向して、位置する。
【００８２】
以上の構成によれば、電池の構成部材の間の接合強度を、より高めることができる。すなわち、第２絶縁部分１２２により互いに連結される第２導電部分１１２と第３導電部分１１３とに、それぞれ、第２電極層３２１と第２対極層３２２とを、配置することができる。これにより、第２導電部分１１２に配置される第２電極層３２１と第３導電部分１１３に配置される第２対極層３２２との位置関係を、第２絶縁部分１２２により（言い換えれば、１つの構成部材である第１集電体１００により）、強固に維持することができる。これにより、例えば、電池製造時または電池使用時における衝撃または振動などによって、電池を構成する各層（例えば、第２電極層３２１と第２対極層３２２）が位置ずれまたは分離することを防止できる。
【００８３】
また、以上の構成によれば、第１集電体１００を用いて、積層型電池を構成することができる。すなわち、第１電極層３１１と第１対極層３１２とを含む発電要素（第１発電要素３１０）と、第２電極層３２１と第２対極層３２２とを含む発電要素（第２発電要素３２０）とを、第１集電体１００（すなわち、第１集電体１００の第２導電部分１１２）を介して、直列接続で積層することができる。これにより、第１発電要素３１０の構成部材と第２発電要素３２０の構成部材との位置関係を、第１絶縁部分１２１と第２絶縁部分１２２とにより（言い換えれば、１つの構成部材である第１集電体１００により）、強固に維持することができる。したがって、例えば、電池製造時または電池使用時における衝撃または振動などによって、電池を構成する各発電要素（例えば、第１発電要素３１０と第２発電要素３２０）が位置ずれまたは分離することを防止できる。これにより、第１発電要素３１０と第２発電要素３２０との直列接続により電池電圧を高めながら、電池の信頼性を向上させることができる。
【００８４】
また、以上の構成によれば、電池の側面のうち、第２絶縁部分１２２が位置する側面を、第２絶縁部分１２２により、覆うことができる。これにより、電池外部に存在しうる部材（例えば、別の電池、など）と、第２絶縁部分１２２が位置する電池の側面とが、互いに接触することを、第２絶縁部分１２２により、防ぐことができる。したがって、電池同士の接触による短絡を抑制できる。また、電池と電池外部に存在しうる部材との接触による電池の側面の部分的な破壊を抑制できる。また、電池の側面の一部が第２絶縁部分１２２により覆われることで、電池の構成部材（例えば、第２電極層３２１に含まれる電極材料、第２対極層３２２に含まれる対極材料、など）の一部が崩落した場合であっても、第２絶縁部分１２２により、当該崩落した構成部材が、電池内部の別の単電池セル部分（例えば、第１発電要素３１０、など）または電池外部に移動することを抑制できる。したがって、電池の構成部材の崩落による、電池内部の短絡を抑制できる。これらにより、電池の信頼性を、より向上させることができる。
【００８５】
なお、実施の形態１における電池１１００は、図７に示されるように、第２固体電解質層３２３をさらに備えてもよい。
【００８６】
第２固体電解質層３２３は、第２電極層３２１と第２対極層３２２との間に、配置される。
【００８７】
以上の構成によれば、第２電極層３２１と第２対極層３２２と第２固体電解質層３２３とにより、１つの固体電池セル（第２発電要素３２０）を構成することができる。
【００８８】
なお、実施の形態１における電池１１００においては、第２固体電解質層３２３は、第２導電部分１１２と第３導電部分１１３とに接して、配置されてもよい。
【００８９】
以上の構成によれば、電池の構成部材の間の接合強度を、より高めることができる。すなわち、第２固体電解質層３２３により、第２導電部分１１２と第３導電部分１１３との間の接合強度を高めることができる。これにより、第３導電部分１１３から第２対極層３２２が剥がれることを抑制できる。さらに、第２導電部分１１２から第２電極層３２１が剥がれることを抑制できる。このため、例えば、電池製造時または電池使用時における衝撃または振動などによって、第２発電要素３２０を構成する各層が位置ずれまたは分離することを防止できる。これにより、電池の信頼性を、より向上させることができる。
【００９０】
なお、図７に示されるように、第２電極層３２１と第２対極層３２２とは、それぞれ、第２導電部分１１２と第３導電部分１１３よりも狭い範囲に、形成されてもよい。
【００９１】
また、図７に示されるように、第２固体電解質層３２３は、第２電極層３２１と第２対極層３２２よりも大面積に、配置されてもよい。すなわち、第２固体電解質層３２３は、第２電極層３２１と第２対極層３２２とを覆う形で、配置されてもよい。これにより、第２電極層３２１と第２対極層３２２との直接接触による短絡を防止できる。
【００９２】
また、図７に示されるように、第２固体電解質層３２３は、第２導電部分１１２と第３導電部分１１３よりも狭い範囲に、配置されてもよい。もしくは、第２固体電解質層３２３の形成範囲は、第２導電部分１１２と第３導電部分１１３と同じ範囲であってもよい。
【００９３】
第２絶縁部分１２２は、第２導電部分１１２と第３導電部分１１３とに連結される。すなわち、第２絶縁部分１２２の一端は、第２導電部分１１２（例えば、第２導電部分１１２の端部）に接続（例えば、接合）される。さらに、第２絶縁部分１２２の別の一端は、第３導電部分１１３（例えば、第３導電部分１１３の端部）に接続（例えば、接合）される。
【００９４】
なお、第２導電部分１１２と第３導電部分１１３のうちの少なくとも一方（例えば、両方）と第２絶縁部分１２２との接続方法は、第１導電部分１１１と第２導電部分１１２のうちの少なくとも一方（例えば、両方）と第１絶縁部分１２１との接続方法と、異なってもよいし、同じであってもよい。
【００９５】
なお、第２絶縁部分１２２が接続される第２導電部分１１２の端部（すなわち、第２導電部分１１２が矩形である場合には、その矩形の一辺）は、第１絶縁部分１２１が接続される第２導電部分１１２の端部とは、異なってもよいし、同じであってもよい。すなわち、図６と図７に示される通り、第２絶縁部分１２２が接続される第２導電部分１１２の端部は、第１絶縁部分１２１が接続される第２導電部分１１２の端部の向かいに位置する端部であってもよい。もしくは、第２絶縁部分１２２が接続される第２導電部分１１２の端部は、第１絶縁部分１２１が接続される第２導電部分１１２の端部と隣接する端部であってもよい。
【００９６】
なお、第１電極層３１１と第２電極層３２１は負極活物質層であってもよい。このとき、電極材料は負極活物質である。第１導電部分１１１は負極集電体である。第１対極層３１２と第２対極層３２２は正極活物質層である。対極材料は正極活物質である。第２導電部分１１２はバイポーラ集電体（すなわち、正極層を備える主面と、負極層を備える主面と、を有する集電体）である。第３導電部分１１３は正極集電体である。
【００９７】
もしくは、第１電極層３１１と第２電極層３２１は正極活物質層であってもよい。このとき、電極材料は正極活物質である。第１導電部分１１１は正極集電体である。第１対極層３１２と第２対極層３２２は負極活物質層である。対極材料は負極活物質である。第２導電部分１１２はバイポーラ集電体である。第３導電部分１１３は負極集電体である。
【００９８】
図８は、実施の形態１における電池１２００の概略構成を示す斜視図である。
【００９９】
図９は、実施の形態１における電池１２００の概略構成を示すｘ−ｚ図（断面図）である。
【０１００】
実施の形態１における電池１２００は、上述の実施の形態１における電池１１００の構成に加えて、下記の構成をさらに備える。
【０１０１】
すなわち、実施の形態１における電池１２００は、第３電極層３３１と、第３対極層３３２と、をさらに備える。
【０１０２】
第３対極層３３２は、第１電極層３１１および第２電極層３２１および第３電極層３３１の対極である。
【０１０３】
第１集電体１００は、第３絶縁部分１２３と、第４導電部分１１４と、を有する。
【０１０４】
第３電極層３３１は、第３導電部分１１３に接して、配置される。
【０１０５】
第３対極層３３２は、第４導電部分１１４に接して、配置される。
【０１０６】
第３絶縁部分１２３は、第３導電部分１１３と前記第４導電部分１１４とを連結する部材である。
【０１０７】
第１集電体１００が第３絶縁部分１２３において折り曲げられていることで、第３電極層３３１と第３対極層３３２とは、互いに、対向して位置する。
【０１０８】
以上の構成によれば、電池の構成部材の間の接合強度を、より高めることができる。すなわち、第３絶縁部分１２３により互いに連結される第３導電部分１１３と第４導電部分１１４とに、それぞれ、第３電極層３３１と第３対極層３３２とを、配置することができる。これにより、第３導電部分１１３に配置される第３電極層３３１と第４導電部分１１４に配置される第３対極層３３２との位置関係を、第３絶縁部分１２３により（言い換えれば、１つの構成部材である第１集電体１００により）、強固に維持することができる。これにより、例えば、電池製造時または電池使用時における衝撃または振動などによって、電池を構成する各層（例えば、第３電極層３３１と第３対極層３３２）が位置ずれまたは分離することを防止できる。
【０１０９】
また、以上の構成によれば、第１集電体１００を用いて、積層型電池を構成することができる。すなわち、第２電極層３２１と第２対極層３２２とを含む発電要素（第２発電要素３２０）と、第３電極層３３１と第３対極層３３２とを含む発電要素（第３発電要素３３０）とを、第１集電体１００（すなわち、第１集電体１００の第３導電部分１１３）を介して、直列接続で積層することができる。これにより、第２発電要素３２０の構成部材と第３発電要素３３０の構成部材との位置関係を、第２絶縁部分１２２と第３絶縁部分１２３とにより（言い換えれば、１つの構成部材である第１集電体１００により）、強固に維持することができる。したがって、例えば、電池製造時または電池使用時における衝撃または振動などによって、電池を構成する各発電要素（例えば、第２発電要素３２０と第３発電要素３３０）が位置ずれまたは分離することを防止できる。これにより、第２発電要素３２０と第３発電要素３３０との直列接続により電池電圧を高めながら、電池の信頼性を向上させることができる。
【０１１０】
また、以上の構成によれば、電池の側面のうち、第３絶縁部分１２３が位置する側面を、第３絶縁部分１２３により、覆うことができる。これにより、電池外部に存在しうる部材（例えば、別の電池、など）と、第３絶縁部分１２３が位置する電池の側面とが、互いに接触することを、第３絶縁部分１２３により、防ぐことができる。したがって、電池同士の接触による短絡を抑制できる。また、電池と電池外部に存在しうる部材との接触による電池の側面の部分的な破壊を抑制できる。また、電池の側面の一部が第３絶縁部分１２３により覆われることで、電池の構成部材（例えば、第３電極層３３１に含まれる電極材料、第３対極層３３２に含まれる対極材料、など）の一部が崩落した場合であっても、第３絶縁部分１２３により、当該崩落した構成部材が、電池内部の別の単電池セル部分（例えば、第２発電要素３２０、など）または電池外部に移動することを抑制できる。したがって、電池の構成部材の崩落による、電池内部の短絡を抑制できる。これらにより、電池の信頼性を、より向上させることができる。
【０１１１】
なお、実施の形態１における電池１２００は、図９に示されるように、第３固体電解質層３３３をさらに備えてもよい。
【０１１２】
第３固体電解質層３３３は、第３電極層３３１と第３対極層３３２との間に、配置される。
【０１１３】
以上の構成によれば、第３電極層３３１と第３対極層３３２と第３固体電解質層３３３とにより、１つの固体電池セル（第３発電要素３３０）を構成することができる。
【０１１４】
なお、実施の形態１における電池１２００においては、第３固体電解質層３３３は、第３導電部分１１３と第４導電部分１１４とに接して、配置されてもよい。
【０１１５】
以上の構成によれば、電池の構成部材の間の接合強度を、より高めることができる。すなわち、第３固体電解質層３３３により、第３導電部分１１３と第４導電部分１１４との間の接合強度を高めることができる。これにより、第４導電部分１１４から第３対極層３３２が剥がれることを抑制できる。さらに、第３導電部分１１３から第３電極層３３１が剥がれることを抑制できる。このため、例えば、電池製造時または電池使用時における衝撃または振動などによって、第３発電要素３３０を構成する各層が位置ずれまたは分離することを防止できる。これにより、電池の信頼性を、より向上させることができる。
【０１１６】
なお、図９に示されるように、第３電極層３３１と第３対極層３３２とは、それぞれ、第３導電部分１１３と第４導電部分１１４よりも狭い範囲に、形成されてもよい。
【０１１７】
また、図９に示されるように、第３固体電解質層３３３は、第３電極層３３１と第３対極層３３２よりも大面積に、配置されてもよい。すなわち、第３固体電解質層３３３は、第３電極層３３１と第３対極層３３２とを覆う形で、配置されてもよい。これにより、第３電極層３３１と第３対極層３３２との直接接触による短絡を防止できる。
【０１１８】
また、図９に示されるように、第３固体電解質層３３３は、第３導電部分１１３と第４導電部分１１４よりも狭い範囲に、配置されてもよい。もしくは、第３固体電解質層３３３の形成範囲は、第３導電部分１１３と第４導電部分１１４と同じ範囲であってもよい。
【０１１９】
第３絶縁部分１２３は、第３導電部分１１３と第４導電部分１１４とに連結される。すなわち、第３絶縁部分１２３の一端は、第３導電部分１１３（例えば、第３導電部分１１３の端部）に接続（例えば、接合）される。さらに、第３絶縁部分１２３の別の一端は、第４導電部分１１４（例えば、第４導電部分１１４の端部）に接続（例えば、接合）される。
【０１２０】
なお、第３導電部分１１３と第４導電部分１１４のうちの少なくとも一方（例えば、両方）と第３絶縁部分１２３との接続方法は、第２導電部分１１２と第３導電部分１１３のうちの少なくとも一方（例えば、両方）と第２絶縁部分１２２との接続方法と、異なってもよいし、同じであってもよい。
【０１２１】
なお、第３絶縁部分１２３が接続される第３導電部分１１３の端部（すなわち、第３導電部分１１３が矩形である場合には、その矩形の一辺）は、第２絶縁部分１２２が接続される第３導電部分１１３の端部とは、異なってもよいし、同じであってもよい。すなわち、図８と図９に示される通り、第３絶縁部分１２３が接続される第３導電部分１１３の端部は、第１絶縁部分１２１が接続される第３導電部分１１３の端部の向かいに位置する端部であってもよい。もしくは、第３絶縁部分１２３が接続される第３導電部分１１３の端部は、第２絶縁部分１２２が接続される第３導電部分１１３の端部と隣接する端部であってもよい。
【０１２２】
なお、第１電極層３１１と第２電極層３２１と第３電極層３３１は負極活物質層であってもよい。このとき、電極材料は負極活物質である。第１導電部分１１１は負極集電体である。第１対極層３１２と第２対極層３２２と第３対極層３３２は正極活物質層である。対極材料は正極活物質である。第２導電部分１１２と第３導電部分１１３はバイポーラ集電体である。第４導電部分１１４は正極集電体である。
【０１２３】
もしくは、第１電極層３１１と第２電極層３２１と第３電極層３３１は正極活物質層であってもよい。このとき、電極材料は正極活物質である。第１導電部分１１１は正極集電体である。第１対極層３１２と第２対極層３２２と第３対極層３３２は負極活物質層である。対極材料は負極活物質である。第２導電部分１１２と第３導電部分１１３はバイポーラ集電体である。第４導電部分１１４は負極集電体である。
【０１２４】
なお、第３導電部分１１３と第４導電部分１１４は、導電性を有する部材である。第１導電部分１１１と第２導電部分１１２と第３導電部分１１３と第４導電部分１１４の構成（例えば、厚み、面積、形状、含有材料、など）は、互いに、同じであってもよいし、異なっていてもよい。
【０１２５】
また、第２絶縁部分１２２と第３絶縁部分１２３は、絶縁性の材料（すなわち、導電性が無い材料、または、導電性が十分に低い材料）から構成される部材である。第１絶縁部分１２１と第２絶縁部分１２２と第３絶縁部分１２３の構成（例えば、厚み、面積、形状、含有材料、など）は、互いに、同じであってもよいし、異なっていてもよい。
【０１２６】
また、第２発電要素３２０と第３発電要素３３０は、例えば、充電および放電の特性を有する発電部（例えば、二次電池）である。例えば、第２発電要素３２０と第３発電要素３３０は、単電池セル、または、全固体電池であってもよい。第１発電要素３１０と第２発電要素３２０と第３発電要素３３０の構成（例えば、各層の厚み、形成面積、形状、含有材料、など）は、互いに、同じであってもよいし、異なっていてもよい。
【０１２７】
また、第２電極層３２１と第３電極層３３１は、電極材料（例えば、活物質）を含む層である。第１電極層３１１と第２電極層３２１と第３電極層３３１の構成（例えば、厚み、形成面積、形状、含有材料、など）は、互いに、同じであってもよいし、異なっていてもよい。
【０１２８】
また、第２対極層３２２と第３対極層３３２は、対極材料（例えば、活物質）を含む層である。対極材料は、電極材料の対極を構成する材料である。第１対極層３１２と第２対極層３２２と第３対極層３３２の構成（例えば、各層の厚み、形成面積、形状、含有材料、など）は、互いに、同じであってもよいし、異なっていてもよい。
【０１２９】
また、第２固体電解質層３２３と第３固体電解質層３３３は、固体電解質を含む固体電解質層である。第１固体電解質層３１３と第２固体電解質層３２３と第３固体電解質層３３３の構成（例えば、各層の厚み、形成面積、形状、含有材料、など）は、互いに、同じであってもよいし、異なっていてもよい。
【０１３０】
図１０は、実施の形態１における電池１３００の概略構成を示すｘ−ｚ図（断面図）である。
【０１３１】
図１１は、実施の形態１における電池１４００の概略構成を示すｘ−ｚ図（断面図）である。
【０１３２】
図１２は、実施の形態１における電池１５００の概略構成を示すｘ−ｚ図（断面図）である。
【０１３３】
第１絶縁部分１２１は、第１張出部分１２１ａを有してもよい。
【０１３４】
第１張出部分１２１ａは、図１０と図１１に示されるような、第２導電部分１１２よりも第２電極層３２１が配置される側に張り出す部分（第１絶縁部分１２１の一部）である。
【０１３５】
以上の構成によれば、第１導電部分１１１と第２導電部分１１２とに挟まれる構成部材（例えば、第１電極層３１１、第１対極層３１２、第１固体電解質層３１３、など）の側面を第１絶縁部分１２１により覆いながら、第２導電部分１１２よりも第２電極層３２１が配置される側に位置する構成部材（例えば、第２電極層３２１、第２対極層３２２、第２固体電解質層３２３、など）の側面を、第１絶縁部分１２１の第１張出部分１２１ａにより、覆うことができる。これにより、電池外部に存在しうる部材（例えば、別の電池、など）と、第１導電部分１１１と第２導電部分１１２とに挟まれる構成部材の側面および第２導電部分１１２よりも第２電極層３２１が配置される側に位置する構成部材の側面が、互いに接触することを、第１絶縁部分１２１により、防ぐことができる。
【０１３６】
また、第２絶縁部分１２２は、第２張出部分１２２ａと第２張出部分１２２ｂとのうちの少なくとも一方を有してもよい。
【０１３７】
第２張出部分１２２ａは、図１０と図１２に示されるような、第２導電部分１１２よりも第１対極層３１２が配置される側に張り出す部分（第２絶縁部分１２２の一部）である。
【０１３８】
以上の構成によれば、第２導電部分１１２と第３導電部分１１３とに挟まれる構成部材（例えば、第２電極層３２１、第２対極層３２２、第２固体電解質層３２３、など）の側面を第２絶縁部分１２２により覆いながら、第２導電部分１１２よりも第１対極層３１２が配置される側に位置する構成部材（例えば、第１電極層３１１、第１対極層３１２、第１固体電解質層３１３、など）の側面を、第２絶縁部分１２２の第２張出部分１２２ａにより、覆うことができる。これにより、電池外部に存在しうる部材（例えば、別の電池、など）と、第２導電部分１１２と第３導電部分１１３とに挟まれる構成部材の側面および第２導電部分１１２よりも第１対極層３１２が配置される側に位置する構成部材の側面が、互いに接触することを、第２絶縁部分１２２により、防ぐことができる。
【０１３９】
第２張出部分１２２ｂは、図１０と図１１に示されるような、第３導電部分１１３よりも第３電極層３３１が配置される側に張り出す部分（第２絶縁部分１２２の一部）である。
【０１４０】
以上の構成によれば、第２導電部分１１２と第３導電部分１１３とに挟まれる構成部材（例えば、第２電極層３２１、第２対極層３２２、第２固体電解質層３２３、など）の側面を第２絶縁部分１２２により覆いながら、第３導電部分１１３よりも第３電極層３３１が配置される側に位置する構成部材（例えば、第３電極層３３１、第３対極層３３２、第３固体電解質層３３３、など）の側面を、第２絶縁部分１２２の第２張出部分１２２ｂにより、覆うことができる。これにより、電池外部に存在しうる部材（例えば、別の電池、など）と、第３導電部分１１３よりも第３電極層３３１が配置される側に位置する構成部材の側面が、互いに接触することを、第２絶縁部分１２２により、防ぐことができる。
【０１４１】
また、第３絶縁部分１２３は、第３張出部分１２３ａを有してもよい。
【０１４２】
第３張出部分１２３ａは、図１０と図１２に示されるような、第３導電部分１１３よりも第２対極層３２２が配置される側に張り出す部分（第３絶縁部分１２３の一部）である。
【０１４３】
以上の構成によれば、第３導電部分１１３と第４導電部分１１４とに挟まれる構成部材（例えば、第３電極層３３１、第３対極層３３２、第３固体電解質層３３３、など）の側面を第３絶縁部分１２３により覆いながら、第３導電部分１１３よりも第２対極層３２２が配置される側に位置する構成部材（例えば、第２電極層３２１、第２対極層３２２、第２固体電解質層３２３、など）の側面を、第３絶縁部分１２３の第３張出部分１２３ａにより、覆うことができる。これにより、電池外部に存在しうる部材（例えば、別の電池、など）と、第３導電部分１１３と第４導電部分１１４とに挟まれる構成部材の側面および第３導電部分１１３よりも第２対極層３２２が配置される側に位置する構成部材の側面が、互いに接触することを、第３絶縁部分１２３により、防ぐことができる。
【０１４４】
なお、図１０と図１１と図１２に示されるように、第１絶縁部分１２１と第３絶縁部分１２３とは、互いに、接触してもよい。
【０１４５】
以上の構成によれば、第１導電部分１１１と第２導電部分１１２とに挟まれる構成部材（例えば、第１電極層３１１、第１対極層３１２、第１固体電解質層３１３、など）の側面を第１絶縁部分１２１により覆いながら、かつ、第３導電部分１１３と第４導電部分１１４とに挟まれる構成部材（例えば、第３電極層３３１、第３対極層３３２、第３固体電解質層３３３、など）の側面を第３絶縁部分１２３により覆いながら、第２導電部分１１２と第３導電部分１１３とに挟まれる構成部材（例えば、第２電極層３２１、第２対極層３２２、第２固体電解質層３２３、など）の側面を、第１絶縁部分１２１と第３絶縁部分１２３のうちの少なくとも一方により、覆うことができる。言い換えれば、第２導電部分１１２と第３導電部分１１３とに挟まれる構成部材の側面のうち、第２絶縁部分１２２により覆われる側面とは異なる側面を、第１絶縁部分１２１と第３絶縁部分１２３のうちの少なくとも一方により、覆うことができる。これにより、電池外部に存在しうる部材（例えば、別の電池、など）と、第１導電部分１１１と第４導電部分１１４とに挟まれる構成部材の側面とが、互いに接触することを、第１絶縁部分１２１および第３絶縁部分１２３により、防ぐことができる。また、電池の側面の一部が第１絶縁部分１２１および第３絶縁部分１２３により覆われることで、電池の構成部材（例えば、第２電極層３２１に含まれる電極材料、第２対極層３２２に含まれる対極材料、など）の一部が崩落した場合であっても、第１絶縁部分１２１および第３絶縁部分１２３により、当該崩落した構成部材が、電池内部の別の単電池セル部分（例えば、第１発電要素３１０または第３発電要素３３０、など）または電池外部に移動することを抑制できる。したがって、電池の構成部材の崩落による、電池内部の短絡を抑制できる。これらにより、電池の信頼性を、より向上させることができる。
【０１４６】
なお、図１０に示されるように、第１張出部分１２１ａと第３張出部分１２３ａとが接触することで、第１絶縁部分１２１と第３絶縁部分１２３とは、互いに、接触してもよい。
【０１４７】
もしくは、図１１に示されるように、第１張出部分１２１ａと第３絶縁部分１２３とが接触することで、第１絶縁部分１２１と第３絶縁部分１２３とは、互いに、接触してもよい。
【０１４８】
もしくは、図１２に示されるように、第１絶縁部分１２１と第３張出部分１２３ａとが接触することで、第１絶縁部分１２１と第３絶縁部分１２３とは、互いに、接触してもよい。
【０１４９】
なお、本開示において、「所定の層と所定の別の層とが、互いに対向して、位置する」とは、例えば、「各層の積層方向から見た場合に、所定の層の主面の一部（または、主面の全領域）が、所定の別の層の主面の一部（または、主面の全領域）と重なるように、位置する」ことを意味する。
【０１５０】
また、「所定の層と所定の別の層とが、互いに対向して、位置する構成」は、「互いに対向する所定の層の主面と所定の別の層と主面の間に、別の部材（例えば、別の材料からなる層）が配置されている構成」も、包含する。
【０１５１】
また、本開示においては、第１発電要素３１０と第２発電要素３２０と第３発電要素３３０の少なくとも１つは、複数の単電池セルが積層されて成る積層電池であってもよい。
【０１５２】
例えば、後述されるように、第１発電要素３１０は、発電要素３１０ａと発電要素３１０ｂとの積層電池であってもよい。また、第２発電要素３２０は、発電要素３２０ａと発電要素３２０ｂとの積層電池であってもよい。また、第３発電要素３３０は、発電要素３３０ａと発電要素３３０ｂとの積層電池であってもよい。
【０１５３】
なお、実施の形態１における電池の製造方法は、後述の実施の形態３として、説明される。
【０１５４】
（実施の形態２）
以下、実施の形態２が説明される。上述の実施の形態１と重複する説明は、適宜、省略される。
【０１５５】
図１３は、実施の形態２における電池２０００の概略構成を示す斜視図である。
【０１５６】
図１４は、実施の形態２における電池２０００の概略構成を示すｘ−ｚ図（１３Ａ断面図）である。
【０１５７】
図１５は、実施の形態２における電池２０００の概略構成を示すｙ−ｚ図（１３Ｂ断面図）である。
【０１５８】
実施の形態２における電池２０００は、上述の実施の形態１における電池１０００の構成に加えて、下記の構成をさらに備える。
【０１５９】
すなわち、実施の形態２における電池２０００は、第２集電体２００と、第４電極層３１５と、第４対極層３１４と、をさらに備える。
【０１６０】
第４対極層３１４は、第１電極層３１１および第４電極層３１５の対極である。
【０１６１】
第２集電体２００は、第５導電部分２１１を有する。
【０１６２】
第５導電部分２１１は、第１導電部分１１１と第２導電部分１１２との間に、配置される。
【０１６３】
第４電極層３１５は、第５導電部分２１１に接して、第１対極層３１２と対向する位置に、配置される。
【０１６４】
第４対極層３１４は、第５導電部分２１１に接して、第１電極層３１１と対向する位置に、配置される。
【０１６５】
以上の構成によれば、第１集電体１００と第２集電体２００とを用いて、積層型電池を構成することができる。すなわち、第１電極層３１１と第４対極層３１４とを含む発電要素（発電要素３１０ａ）と、第４電極層３１５と第１対極層３１２とを含む発電要素（発電要素３１０ｂ）とを、第２集電体２００（すなわち、第２集電体２００の第５導電部分２１１）を介して、直列接続で積層することができる。このとき、発電要素３１０ａの構成部材と発電要素３１０ｂの構成部材との位置関係を、第１絶縁部分１２１により（言い換えれば、１つの構成部材である第１集電体１００により）、強固に維持することができる。したがって、例えば、電池製造時または電池使用時における衝撃または振動などによって、電池を構成する各発電要素（例えば、発電要素３１０ａと発電要素３１０ｂ）が位置ずれまたは分離することを防止できる。これにより、発電要素３１０ａと発電要素３１０ｂとの直列接続により電池電圧を高めながら、電池の信頼性を向上させることができる。
【０１６６】
なお、実施の形態２における電池２０００は、図１４および図１５に示されるように、第１固体電解質層３１３をさらに備えてもよい。
【０１６７】
第１固体電解質層３１３は、第１電極層３１１と第４対極層３１４との間に、配置される。
【０１６８】
以上の構成によれば、第１電極層３１１と第４対極層３１４と第１固体電解質層３１３とにより、１つの固体電池セル（発電要素３１０ａ）を構成することができる。
【０１６９】
なお、実施の形態２における電池２０００においては、第１固体電解質層３１３は、第１導電部分１１１と第５導電部分２１１とに接して、配置されてもよい。
【０１７０】
以上の構成によれば、電池の構成部材の間の接合強度を、より高めることができる。すなわち、第１固体電解質層３１３により、第１導電部分１１１と第５導電部分２１１との間の接合強度を高めることができる。これにより、第５導電部分２１１から第４対極層３１４が剥がれることを抑制できる。さらに、第１導電部分１１１から第１電極層３１１が剥がれることを抑制できる。このため、例えば、電池製造時または電池使用時における衝撃または振動などによって、発電要素３１０ａを構成する各層が位置ずれまたは分離することを防止できる。これにより、電池の信頼性を、より向上させることができる。
【０１７１】
また、図１４および図１５に示されるように、第１電極層３１１と第４対極層３１４とは、それぞれ、第１導電部分１１１と第５導電部分２１１よりも狭い範囲に、形成されてもよい。
【０１７２】
また、図１４および図１５に示されるように、第１固体電解質層３１３は、第１電極層３１１と第４対極層３１４よりも大面積に、配置されてもよい。すなわち、第１固体電解質層３１３は、第１電極層３１１と第４対極層３１４とを覆う形で、配置されてもよい。これにより、第１電極層３１１と第４対極層３１４との直接接触による短絡を防止できる。
【０１７３】
また、図１４および図１５に示されるように、第１固体電解質層３１３は、第１導電部分１１１と第５導電部分２１１よりも狭い範囲に、配置されてもよい。もしくは、第１固体電解質層３１３の形成範囲は、第１導電部分１１１と第５導電部分２１１と同じ範囲であってもよい。
【０１７４】
なお、実施の形態２における電池２０００は、図１４および図１５に示されるように、第４固体電解質層３１６をさらに備えてもよい。
【０１７５】
第４固体電解質層３１６は、第４電極層３１５と第１対極層３１２との間に、配置される。
【０１７６】
以上の構成によれば、第４電極層３１５と第１対極層３１２と第４固体電解質層３１６とにより、１つの固体電池セル（発電要素３１０ｂ）を構成することができる。
【０１７７】
なお、実施の形態２における電池２０００においては、第４固体電解質層３１６は、第２導電部分１１２と第５導電部分２１１とに接して、配置されてもよい。
【０１７８】
以上の構成によれば、電池の構成部材の間の接合強度を、より高めることができる。すなわち、第４固体電解質層３１６により、第２導電部分１１２と第５導電部分２１１との間の接合強度を高めることができる。これにより、第２導電部分１１２から第１対極層３１２が剥がれることを抑制できる。さらに、第５導電部分２１１から第４電極層３１５が剥がれることを抑制できる。このため、例えば、電池製造時または電池使用時における衝撃または振動などによって、発電要素３１０ｂを構成する各層が位置ずれまたは分離することを防止できる。これにより、電池の信頼性を、より向上させることができる。
【０１７９】
また、図１４および図１５に示されるように、第４電極層３１５と第１対極層３１２とは、それぞれ、第２導電部分１１２と第５導電部分２１１よりも狭い範囲に、形成されてもよい。
【０１８０】
また、図１４および図１５に示されるように、第４固体電解質層３１６は、第４電極層３１５と第１対極層３１２よりも大面積に、配置されてもよい。すなわち、第４固体電解質層３１６は、第４電極層３１５と第１対極層３１２とを覆う形で、配置されてもよい。これにより、第４電極層３１５と第１対極層３１２との直接接触による短絡を防止できる。
【０１８１】
また、図１４および図１５に示されるように、第４固体電解質層３１６は、第２導電部分１１２と第５導電部分２１１よりも狭い範囲に、配置されてもよい。もしくは、第４固体電解質層３１６の形成範囲は、第２導電部分１１２と第５導電部分２１１と同じ範囲であってもよい。
【０１８２】
なお、第１電極層３１１と第４電極層３１５は負極活物質層であってもよい。このとき、電極材料は負極活物質である。第１導電部分１１１は負極集電体である。第１対極層３１２と第４対極層３１４は正極活物質層である。対極材料は正極活物質である。第５導電部分２１１はバイポーラ集電体である。第２導電部分１１２は正極集電体である。
【０１８３】
もしくは、第１電極層３１１と第４電極層３１５は正極活物質層であってもよい。このとき、電極材料は正極活物質である。第１導電部分１１１は正極集電体である。第１対極層３１２と第４対極層３１４は負極活物質層である。対極材料は負極活物質である。第５導電部分２１１はバイポーラ集電体である。第２導電部分１１２は負極集電体である。
【０１８４】
図１６は、実施の形態２における電池２１００の概略構成を示す斜視図である。
【０１８５】
図１７は、実施の形態２における電池２１００の概略構成を示すｘ−ｚ図（１６Ａ断面図）である。
【０１８６】
図１８は、実施の形態２における電池２１００の概略構成を示すｙ−ｚ図（１６Ｂ断面図）である。
【０１８７】
実施の形態２における電池２１００は、上述の実施の形態２における電池２０００の構成に加えて、下記の構成をさらに備える。
【０１８８】
すなわち、実施の形態２における電池２１００は、第２電極層３２１と、第５対極層３２４と、をさらに備える。
【０１８９】
第５対極層３２４は、第１電極層３１１および第２電極層３２１および第４電極層３１５の対極である。
【０１９０】
第２集電体２００は、第６導電部分２１２と、第４絶縁部分２２１と、を有する。
【０１９１】
第２電極層３２１は、第２導電部分１１２に接して、配置される。
【０１９２】
第５対極層３２４は、第６導電部分２１２に接して、配置される。
【０１９３】
第４絶縁部分２２１は、第５導電部分２１１と第６導電部分２１２とを連結する部材である。
【０１９４】
第２集電体２００が第４絶縁部分２２１において折り曲げられていることで、第２電極層３２１と第５対極層３２４とは、互いに対向して、位置する。
【０１９５】
以上の構成によれば、電池の構成部材の間の接合強度を、より高めることができる。すなわち、第４絶縁部分２２１により互いに連結される第５導電部分２１１と第６導電部分２１２とに、それぞれ、第４電極層３１５と第５対極層３２４とを、配置することができる。これにより、第５導電部分２１１に配置される第４電極層３１５と第６導電部分２１２に配置される第５対極層３２４との位置関係を、第４絶縁部分２２１により（言い換えれば、１つの構成部材である第２集電体２００により）、強固に維持することができる。これにより、例えば、電池製造時または電池使用時における衝撃または振動などによって、電池を構成する各層（例えば、第４電極層３１５と第５対極層３２４）が位置ずれまたは分離することを防止できる。
【０１９６】
また、以上の構成によれば、第１集電体１００と第２集電体２００とを用いて、積層型電池を構成することができる。すなわち、第４電極層３１５と第１対極層３１２とを含む発電要素（発電要素３１０ｂ）と、第２電極層３２１と第５対極層３２４とを含む発電要素（発電要素３２０ａ）とを、第１集電体１００（すなわち、第１集電体１００の第２導電部分１１２）を介して、直列接続で積層することができる。これにより、発電要素３１０ｂの構成部材と発電要素３２０ａの構成部材との位置関係を、第４絶縁部分２２１とにより（言い換えれば、１つの構成部材である第２集電体２００により）、強固に維持することができる。したがって、例えば、電池製造時または電池使用時における衝撃または振動などによって、電池を構成する各発電要素（例えば、発電要素３１０ｂと発電要素３２０ａ）が位置ずれまたは分離することを防止できる。これにより、発電要素３１０ｂと発電要素３２０ａとの直列接続により電池電圧を高めながら、電池の信頼性を向上させることができる。
【０１９７】
また、以上の構成によれば、電池の側面のうち、第４絶縁部分２２１が位置する側面を、第４絶縁部分２２１により、覆うことができる。これにより、電池外部に存在しうる部材（例えば、別の電池、など）と、第４絶縁部分２２１が位置する電池の側面とが、互いに接触することを、第４絶縁部分２２１により、防ぐことができる。したがって、電池同士の接触による短絡を抑制できる。また、電池と電池外部に存在しうる部材との接触による電池の側面の部分的な破壊を抑制できる。また、電池の側面の一部が第４絶縁部分２２１により覆われることで、電池の構成部材（例えば、第２電極層３２１または第４電極層３１５に含まれる電極材料、第１対極層３１２または第５対極層３２４に含まれる対極材料、など）の一部が崩落した場合であっても、第４絶縁部分２２１により、当該崩落した構成部材が、電池内部の別の単電池セル部分（例えば、発電要素３１０ａ、など）または電池外部に移動することを抑制できる。したがって、電池の構成部材の崩落による、電池内部の短絡を抑制できる。これらにより、電池の信頼性を、より向上させることができる。
【０１９８】
なお、実施の形態２における電池２１００は、図１７および図１８に示されるように、第２固体電解質層３２３をさらに備えてもよい。
【０１９９】
第２固体電解質層３２３は、第２電極層３２１と第５対極層３２４との間に、配置される。
【０２００】
以上の構成によれば、第２電極層３２１と第５対極層３２４と第２固体電解質層３２３とにより、１つの固体電池セル（発電要素３２０ａ）を構成することができる。
【０２０１】
なお、実施の形態２における電池２１００においては、第２固体電解質層３２３は、第２導電部分１１２と第６導電部分２１２とに接して、配置されてもよい。
【０２０２】
以上の構成によれば、電池の構成部材の間の接合強度を、より高めることができる。すなわち、第２固体電解質層３２３により、第２導電部分１１２と第６導電部分２１２との間の接合強度を高めることができる。これにより、第６導電部分２１２から第５対極層３２４が剥がれることを抑制できる。さらに、第２導電部分１１２から第２電極層３２１が剥がれることを抑制できる。このため、例えば、電池製造時または電池使用時における衝撃または振動などによって、発電要素３２０ａを構成する各層が位置ずれまたは分離することを防止できる。これにより、電池の信頼性を、より向上させることができる。
【０２０３】
また、図１７および図１８に示されるように、第２電極層３２１と第５対極層３２４とは、それぞれ、第２導電部分１１２と第６導電部分２１２よりも狭い範囲に、形成されてもよい。
【０２０４】
また、図１７および図１８に示されるように、第２固体電解質層３２３は、第２電極層３２１と第５対極層３２４よりも大面積に、配置されてもよい。すなわち、第２固体電解質層３２３は、第２電極層３２１と第５対極層３２４とを覆う形で、配置されてもよい。これにより、第２電極層３２１と第５対極層３２４との直接接触による短絡を防止できる。
【０２０５】
また、図１７および図１８に示されるように、第２固体電解質層３２３は、第２導電部分１１２と第６導電部分２１２よりも狭い範囲に、配置されてもよい。もしくは、第２固体電解質層３２３の形成範囲は、第２導電部分１１２と第６導電部分２１２と同じ範囲であってもよい。
【０２０６】
第４絶縁部分２２１は、第５導電部分２１１と第６導電部分２１２とに連結される。すなわち、第４絶縁部分２２１の一端は、第５導電部分２１１（例えば、第５導電部分２１１の端部）に接続（例えば、接合）される。さらに、第４絶縁部分２２１の別の一端は、第６導電部分２１２（例えば、第６導電部分２１２の端部）に接続（例えば、接合）される。
【０２０７】
なお、第５導電部分２１１と第６導電部分２１２のうちの少なくとも一方（例えば、両方）と第４絶縁部分２２１との接続方法は、第１導電部分１１１と第２導電部分１１２のうちの少なくとも一方（例えば、両方）と第１絶縁部分１２１との接続方法と、異なってもよいし、同じであってもよい。
【０２０８】
なお、第１電極層３１１と第２電極層３２１と第４電極層３１５は負極活物質層であってもよい。このとき、電極材料は負極活物質である。第１導電部分１１１は負極集電体である。第１対極層３１２と第４対極層３１４と第５対極層３２４は正極活物質層である。対極材料は正極活物質である。第２導電部分１１２と第５導電部分２１１はバイポーラ集電体である。第６導電部分２１２は正極集電体である。
【０２０９】
もしくは、第１電極層３１１と第２電極層３２１と第４電極層３１５は正極活物質層であってもよい。このとき、電極材料は正極活物質である。第１導電部分１１１は正極集電体である。第１対極層３１２と第４対極層３１４と第５対極層３２４は負極活物質層である。対極材料は負極活物質である。第２導電部分１１２と第５導電部分２１１はバイポーラ集電体である。第６導電部分２１２は負極集電体である。
【０２１０】
図１９は、実施の形態２における電池２２００の概略構成を示す斜視図である。
【０２１１】
図２０は、実施の形態２における電池２２００の概略構成を示すｘ−ｚ図（１９Ａ断面図）である。
【０２１２】
図２１は、実施の形態２における電池２２００の概略構成を示すｙ−ｚ図（１９Ｂ断面図）である。
【０２１３】
実施の形態２における電池２２００は、上述の実施の形態２における電池２１００の構成に加えて、下記の構成をさらに備える。
【０２１４】
すなわち、実施の形態２における電池２２００は、第５電極層３２５と、第２対極層３２２と、をさらに備える。
【０２１５】
第２対極層３２２は、第１電極層３１１および第２電極層３２１および第４電極層３１５および第５電極層３２５の対極である。
【０２１６】
第１集電体１００は、第２絶縁部分１２２と、第３導電部分１１３と、を有する。
【０２１７】
第５電極層３２５は、第６導電部分２１２に接して、配置される。
【０２１８】
第２対極層３２２は、第３導電部分１１３に接して、配置される。
【０２１９】
第２絶縁部分１２２は、第２導電部分１１２と第３導電部分１１３とを連結する部材である。
【０２２０】
第１集電体１００が第２絶縁部分１２２において折り曲げられていることで、第５電極層３２５と第２対極層３２２とは、互いに対向して、位置する。
【０２２１】
以上の構成によれば、電池の構成部材の間の接合強度を、より高めることができる。すなわち、第２絶縁部分１２２により互いに連結される第２導電部分１１２と第３導電部分１１３とに、それぞれ、第２電極層３２１と第２対極層３２２とを、配置することができる。これにより、第２導電部分１１２に配置される第２電極層３２１と第３導電部分１１３に配置される第２対極層３２２との位置関係を、第２絶縁部分１２２により（言い換えれば、１つの構成部材である第１集電体１００により）、強固に維持することができる。これにより、例えば、電池製造時または電池使用時における衝撃または振動などによって、電池を構成する各層（例えば、第２電極層３２１と第２対極層３２２）が位置ずれまたは分離することを防止できる。
【０２２２】
また、以上の構成によれば、第１集電体１００と第２集電体２００とを用いて、積層型電池を構成することができる。すなわち、第２電極層３２１と第５対極層３２４とを含む発電要素（発電要素３２０ａ）と、第５電極層３２５と第２対極層３２２とを含む発電要素（発電要素３２０ｂ）とを、第２集電体２００（すなわち、第２集電体２００の第６導電部分２１２）を介して、直列接続で積層することができる。これにより、発電要素３２０ａの構成部材と発電要素３２０ｂの構成部材との位置関係を、第２絶縁部分１２２とにより（言い換えれば、１つの構成部材である第１集電体１００により）、強固に維持することができる。したがって、例えば、電池製造時または電池使用時における衝撃または振動などによって、電池を構成する各発電要素（例えば、発電要素３２０ａと発電要素３２０ｂ）が位置ずれまたは分離することを防止できる。これにより、発電要素３２０ａと発電要素３２０ｂとの直列接続により電池電圧を高めながら、電池の信頼性を向上させることができる。
【０２２３】
また、以上の構成によれば、電池の側面のうち、第２絶縁部分１２２が位置する側面を、第２絶縁部分１２２により、覆うことができる。これにより、電池外部に存在しうる部材（例えば、別の電池、など）と、第２絶縁部分１２２が位置する電池の側面とが、互いに接触することを、第２絶縁部分１２２により、防ぐことができる。したがって、電池同士の接触による短絡を抑制できる。また、電池と電池外部に存在しうる部材との接触による電池の側面の部分的な破壊を抑制できる。また、電池の側面の一部が第２絶縁部分１２２により覆われることで、電池の構成部材（例えば、第２電極層３２１または第５電極層３２５に含まれる電極材料、第２対極層３２２または第５対極層３２４に含まれる対極材料、など）の一部が崩落した場合であっても、第２絶縁部分１２２により、当該崩落した構成部材が、電池内部の別の単電池セル部分（例えば、発電要素３１０ａ、発電要素３１０ｂ、など）または電池外部に移動することを抑制できる。したがって、電池の構成部材の崩落による、電池内部の短絡を抑制できる。これらにより、電池の信頼性を、より向上させることができる。
【０２２４】
なお、実施の形態２における電池２２００は、図２０および図２１に示されるように、第５固体電解質層３２６をさらに備えてもよい。
【０２２５】
第５固体電解質層３２６は、第５電極層３２５と第２対極層３２２との間に、配置される。
【０２２６】
以上の構成によれば、第５電極層３２５と第２対極層３２２と第５固体電解質層３２６とにより、１つの固体電池セル（発電要素３２０ｂ）を構成することができる。
【０２２７】
なお、実施の形態２における電池２２００においては、第５固体電解質層３２６は、第３導電部分１１３と第６導電部分２１２とに接して、配置されてもよい。
【０２２８】
以上の構成によれば、電池の構成部材の間の接合強度を、より高めることができる。すなわち、第５固体電解質層３２６により、第３導電部分１１３と第６導電部分２１２との間の接合強度を高めることができる。これにより、第３導電部分１１３から第２対極層３２２が剥がれることを抑制できる。さらに、第６導電部分２１２から第５電極層３２５が剥がれることを抑制できる。このため、例えば、電池製造時または電池使用時における衝撃または振動などによって、発電要素３２０ｂを構成する各層が位置ずれまたは分離することを防止できる。これにより、電池の信頼性を、より向上させることができる。
【０２２９】
また、図２０および図２１に示されるように、第５電極層３２５と第２対極層３２２とは、それぞれ、第３導電部分１１３と第６導電部分２１２よりも狭い範囲に、形成されてもよい。
【０２３０】
また、図２０および図２１に示されるように、第５固体電解質層３２６は、第５電極層３２５と第２対極層３２２よりも大面積に、配置されてもよい。すなわち、第５固体電解質層３２６は、第５電極層３２５と第２対極層３２２とを覆う形で、配置されてもよい。これにより、第５電極層３２５と第２対極層３２２との直接接触による短絡を防止できる。
【０２３１】
また、図２０および図２１に示されるように、第５固体電解質層３２６は、第３導電部分１１３と第６導電部分２１２よりも狭い範囲に、配置されてもよい。もしくは、第５固体電解質層３２６の形成範囲は、第３導電部分１１３と第６導電部分２１２と同じ範囲であってもよい。
【０２３２】
なお、第１電極層３１１と第２電極層３２１と第４電極層３１５と第５電極層３２５は負極活物質層であってもよい。このとき、電極材料は負極活物質である。第１導電部分１１１は負極集電体である。第１対極層３１２と第２対極層３２２と第４対極層３１４と第５対極層３２４は正極活物質層である。対極材料は正極活物質である。第２導電部分１１２と第５導電部分２１１と第６導電部分２１２はバイポーラ集電体である。第３導電部分１１３は正極集電体である。
【０２３３】
もしくは、第１電極層３１１と第２電極層３２１と第４電極層３１５と第５電極層３２５は正極活物質層であってもよい。このとき、電極材料は正極活物質である。第１導電部分１１１は正極集電体である。第１対極層３１２と第２対極層３２２と第４対極層３１４と第５対極層３２４は負極活物質層である。対極材料は負極活物質である。第２導電部分１１２と第５導電部分２１１と第６導電部分２１２はバイポーラ集電体である。第３導電部分１１３は負極集電体である。
【０２３４】
図２２は、実施の形態２における電池２３００の概略構成を示す斜視図である。
【０２３５】
図２３は、実施の形態２における電池２３００の概略構成を示すｘ−ｚ図（２２Ａ断面図）である。
【０２３６】
図２４は、実施の形態２における電池２３００の概略構成を示すｙ−ｚ図（２２Ｂ断面図）である。
【０２３７】
実施の形態２における電池２３００は、上述の実施の形態２における電池２２００の構成に加えて、下記の構成をさらに備える。
【０２３８】
すなわち、実施の形態２における電池２３００は、第３電極層３３１と、第６対極層３３４と、をさらに備える。
【０２３９】
第６対極層３３４は、第１電極層３１１および第２電極層３２１および第３電極層３３１および第４電極層３１５および第５電極層３２５の対極である。
【０２４０】
第２集電体２００は、第７導電部分２１３と、第５絶縁部分２２２と、を有する。
【０２４１】
第３電極層３３１は、第３導電部分１１３に接して、配置される。
【０２４２】
第６対極層３３４は、第７導電部分２１３に接して、配置される。
【０２４３】
第５絶縁部分２２２は、第６導電部分２１２と第７導電部分２１３とを連結する部材である。
【０２４４】
第２集電体２００が第５絶縁部分２２２において折り曲げられていることで、第３電極層３３１と第６対極層３３４とは、互いに対向して、位置する。
【０２４５】
以上の構成によれば、電池の構成部材の間の接合強度を、より高めることができる。すなわち、第５絶縁部分２２２により互いに連結される第６導電部分２１２と第７導電部分２１３とに、それぞれ、第５電極層３２５と第６対極層３３４とを、配置することができる。これにより、第６導電部分２１２に配置される第５電極層３２５と第７導電部分２１３に配置される第６対極層３３４との位置関係を、第５絶縁部分２２２により（言い換えれば、１つの構成部材である第２集電体２００により）、強固に維持することができる。これにより、例えば、電池製造時または電池使用時における衝撃または振動などによって、電池を構成する各層（例えば、第５電極層３２５と第６対極層３３４）が位置ずれまたは分離することを防止できる。
【０２４６】
また、以上の構成によれば、第１集電体１００と第２集電体２００とを用いて、積層型電池を構成することができる。すなわち、第５電極層３２５と第２対極層３２２とを含む発電要素（発電要素３２０ｂ）と、第３電極層３３１と第６対極層３３４とを含む発電要素（発電要素３３０ａ）とを、第１集電体１００（すなわち、第１集電体１００の第３導電部分１１３）を介して、直列接続で積層することができる。これにより、発電要素３２０ｂの構成部材と発電要素３３０ａの構成部材との位置関係を、第５絶縁部分２２２とにより（言い換えれば、１つの構成部材である第２集電体２００により）、強固に維持することができる。したがって、例えば、電池製造時または電池使用時における衝撃または振動などによって、電池を構成する各発電要素（例えば、発電要素３２０ｂと発電要素３３０ａ）が位置ずれまたは分離することを防止できる。これにより、発電要素３２０ｂと発電要素３３０ａとの直列接続により電池電圧を高めながら、電池の信頼性を向上させることができる。
【０２４７】
また、以上の構成によれば、電池の側面のうち、第５絶縁部分２２２が位置する側面を、第５絶縁部分２２２により、覆うことができる。これにより、電池外部に存在しうる部材（例えば、別の電池、など）と、第５絶縁部分２２２が位置する電池の側面とが、互いに接触することを、第５絶縁部分２２２により、防ぐことができる。したがって、電池同士の接触による短絡を抑制できる。また、電池と電池外部に存在しうる部材との接触による電池の側面の部分的な破壊を抑制できる。また、電池の側面の一部が第５絶縁部分２２２により覆われることで、電池の構成部材（例えば、第３電極層３３１または第５電極層３２５に含まれる電極材料、第２対極層３２２または第６対極層３３４に含まれる対極材料、など）の一部が崩落した場合であっても、第５絶縁部分２２２により、当該崩落した構成部材が、電池内部の別の単電池セル部分（例えば、第１発電要素３１０、発電要素３２０ａ、など）または電池外部に移動することを抑制できる。したがって、電池の構成部材の崩落による、電池内部の短絡を抑制できる。これらにより、電池の信頼性を、より向上させることができる。
【０２４８】
なお、実施の形態２における電池２３００は、図２３および図２４に示されるように、第３固体電解質層３３３をさらに備えてもよい。
【０２４９】
第３固体電解質層３３３は、第３電極層３３１と第６対極層３３４との間に、配置される。
【０２５０】
以上の構成によれば、第３電極層３３１と第６対極層３３４と第３固体電解質層３３３とにより、１つの固体電池セル（発電要素３３０ａ）を構成することができる。
【０２５１】
なお、実施の形態２における電池２３００においては、第３固体電解質層３３３は、第３導電部分１１３と第７導電部分２１３とに接して、配置されてもよい。
【０２５２】
以上の構成によれば、電池の構成部材の間の接合強度を、より高めることができる。すなわち、第３固体電解質層３３３により、第３導電部分１１３と第７導電部分２１３との間の接合強度を高めることができる。これにより、第７導電部分２１３から第６対極層３３４が剥がれることを抑制できる。さらに、第３導電部分１１３から第３電極層３３１が剥がれることを抑制できる。このため、例えば、電池製造時または電池使用時における衝撃または振動などによって、発電要素３３０ａを構成する各層が位置ずれまたは分離することを防止できる。これにより、電池の信頼性を、より向上させることができる。
【０２５３】
また、図２３および図２４に示されるように、第３電極層３３１と第６対極層３３４とは、それぞれ、第３導電部分１１３と第７導電部分２１３よりも狭い範囲に、形成されてもよい。
【０２５４】
また、図２３および図２４に示されるように、第３固体電解質層３３３は、第３電極層３３１と第６対極層３３４よりも大面積に、配置されてもよい。すなわち、第３固体電解質層３３３は、第３電極層３３１と第６対極層３３４とを覆う形で、配置されてもよい。これにより、第３電極層３３１と第６対極層３３４との直接接触による短絡を防止できる。
【０２５５】
また、図２３および図２４に示されるように、第３固体電解質層３３３は、第３導電部分１１３と第７導電部分２１３よりも狭い範囲に、配置されてもよい。もしくは、第３固体電解質層３３３の形成範囲は、第３導電部分１１３と第７導電部分２１３と同じ範囲であってもよい。
【０２５６】
第５絶縁部分２２２は、第６導電部分２１２と第７導電部分２１３とに連結される。すなわち、第５絶縁部分２２２の一端は、第６導電部分２１２（例えば、第６導電部分２１２の端部）に接続（例えば、接合）される。さらに、第５絶縁部分２２２の別の一端は、第７導電部分２１３（例えば、第７導電部分２１３の端部）に接続（例えば、接合）される。
【０２５７】
なお、第６導電部分２１２と第７導電部分２１３のうちの少なくとも一方（例えば、両方）と第５絶縁部分２２２との接続方法は、第５導電部分２１１と第６導電部分２１２のうちの少なくとも一方（例えば、両方）と第４絶縁部分２２１との接続方法と、異なってもよいし、同じであってもよい。
【０２５８】
なお、第５絶縁部分２２２が接続される第６導電部分２１２の端部（すなわち、第６導電部分２１２が矩形である場合には、その矩形の一辺）は、第４絶縁部分２２１が接続される第６導電部分２１２の端部とは、異なってもよいし、同じであってもよい。すなわち、図２３および図２４に示される通り、第５絶縁部分２２２が接続される第６導電部分２１２の端部は、第４絶縁部分２２１が接続される第６導電部分２１２の端部の向かいに位置する端部であってもよい。もしくは、第５絶縁部分２２２が接続される第６導電部分２１２の端部は、第４絶縁部分２２１が接続される第６導電部分２１２の端部と隣接する端部であってもよい。
【０２５９】
なお、第１電極層３１１と第２電極層３２１と第３電極層３３１と第４電極層３１５と第５電極層３２５は負極活物質層であってもよい。このとき、電極材料は負極活物質である。第１導電部分１１１は負極集電体である。第１対極層３１２と第２対極層３２２と第４対極層３１４と第５対極層３２４と第６対極層３３４は正極活物質層である。対極材料は正極活物質である。第２導電部分１１２と第３導電部分１１３と第５導電部分２１１と第６導電部分２１２はバイポーラ集電体である。第７導電部分２１３は正極集電体である。
【０２６０】
もしくは、第１電極層３１１と第２電極層３２１と第３電極層３３１と第４電極層３１５と第５電極層３２５は正極活物質層であってもよい。このとき、電極材料は正極活物質である。第１導電部分１１１は正極集電体である。第１対極層３１２と第２対極層３２２と第４対極層３１４と第５対極層３２４と第６対極層３３４は負極活物質層である。対極材料は負極活物質である。第２導電部分１１２と第３導電部分１１３と第５導電部分２１１と第６導電部分２１２はバイポーラ集電体である。第７導電部分２１３は負極集電体である。
【０２６１】
図２５は、実施の形態２における電池２４００の概略構成を示す斜視図である。
【０２６２】
図２６は、実施の形態２における電池２４００の概略構成を示すｘ−ｚ図（２５Ａ断面図）である。
【０２６３】
図２７は、実施の形態２における電池２４００の概略構成を示すｙ−ｚ図（２５Ｂ断面図）である。
【０２６４】
実施の形態２における電池２４００は、上述の実施の形態２における電池２３００の構成に加えて、下記の構成をさらに備える。
【０２６５】
すなわち、実施の形態２における電池２４００は、第６電極層３３５と、第３対極層３３２と、をさらに備える。
【０２６６】
第３対極層３３２は、第１電極層３１１および第２電極層３２１および第３電極層３３１および第４電極層３１５および第５電極層３２５および第６電極層３３５の対極である。
【０２６７】
第１集電体１００は、第３絶縁部分１２３と、第４導電部分１１４と、を有する。
【０２６８】
第６電極層３３５は、第７導電部分２１３に接して、配置される。
【０２６９】
第３対極層３３２は、第４導電部分１１４に接して、配置される。
【０２７０】
第３絶縁部分１２３は、第３導電部分１１３と第４導電部分１１４とを連結する部材である。
【０２７１】
第１集電体１００が第３絶縁部分１２３において折り曲げられていることで、第６電極層３３５と第３対極層３３２とは、互いに対向して、位置する。
【０２７２】
以上の構成によれば、電池の構成部材の間の接合強度を、より高めることができる。すなわち、第３絶縁部分１２３により互いに連結される第３導電部分１１３と第４導電部分１１４とに、それぞれ、第３電極層３３１と第３対極層３３２とを、配置することができる。これにより、第３導電部分１１３に配置される第３電極層３３１と第４導電部分１１４に配置される第３対極層３３２との位置関係を、第３絶縁部分１２３により（言い換えれば、１つの構成部材である第１集電体１００により）、強固に維持することができる。これにより、例えば、電池製造時または電池使用時における衝撃または振動などによって、電池を構成する各層（例えば、第３電極層３３１と第３対極層３３２）が位置ずれまたは分離することを防止できる。
【０２７３】
また、以上の構成によれば、第１集電体１００と第２集電体２００とを用いて、積層型電池を構成することができる。すなわち、第３電極層３３１と第６対極層３３４とを含む発電要素（発電要素３３０ａ）と、第６電極層３３５と第３対極層３３２とを含む発電要素（発電要素３３０ｂ）とを、第２集電体２００（すなわち、第２集電体２００の第７導電部分２１３）を介して、直列接続で積層することができる。これにより、発電要素３３０ａの構成部材と発電要素３３０ｂの構成部材との位置関係を、第３絶縁部分１２３とにより（言い換えれば、１つの構成部材である第１集電体１００により）、強固に維持することができる。したがって、例えば、電池製造時または電池使用時における衝撃または振動などによって、電池を構成する各発電要素（例えば、発電要素３３０ａと発電要素３３０ｂ）が位置ずれまたは分離することを防止できる。これにより、発電要素３３０ａと発電要素３３０ｂとの直列接続により電池電圧を高めながら、電池の信頼性を向上させることができる。
【０２７４】
また、以上の構成によれば、電池の側面のうち、第３絶縁部分１２３が位置する側面を、第３絶縁部分１２３により、覆うことができる。これにより、電池外部に存在しうる部材（例えば、別の電池、など）と、第３絶縁部分１２３が位置する電池の側面とが、互いに接触することを、第３絶縁部分１２３により、防ぐことができる。したがって、電池同士の接触による短絡を抑制できる。また、電池と電池外部に存在しうる部材との接触による電池の側面の部分的な破壊を抑制できる。また、電池の側面の一部が第３絶縁部分１２３により覆われることで、電池の構成部材（例えば、第３電極層３３１または第６電極層３３５に含まれる電極材料、第３対極層３３２または第６対極層３３４に含まれる対極材料、など）の一部が崩落した場合であっても、第３絶縁部分１２３により、当該崩落した構成部材が、電池内部の別の単電池セル部分（例えば、第１発電要素３１０、第２発電要素３２０、など）または電池外部に移動することを抑制できる。したがって、電池の構成部材の崩落による、電池内部の短絡を抑制できる。これらにより、電池の信頼性を、より向上させることができる。
【０２７５】
なお、実施の形態２における電池２４００は、図２６および図２７に示されるように、第６固体電解質層３３６をさらに備えてもよい。
【０２７６】
第６固体電解質層３３６は、第６電極層３３５と第３対極層３３２との間に、配置される。
【０２７７】
以上の構成によれば、第６電極層３３５と第３対極層３３２と第５固体電解質層３２６とにより、１つの固体電池セル（発電要素３３０ｂ）を構成することができる。
【０２７８】
なお、実施の形態２における電池２４００においては、第６固体電解質層３３６は、第４導電部分１１４と第７導電部分２１３とに接して、配置されてもよい。
【０２７９】
以上の構成によれば、電池の構成部材の間の接合強度を、より高めることができる。すなわち、第６固体電解質層３３６により、第４導電部分１１４と第７導電部分２１３との間の接合強度を高めることができる。これにより、第４導電部分１１４から第３対極層３３２が剥がれることを抑制できる。さらに、第７導電部分２１３から第６電極層３３５が剥がれることを抑制できる。このため、例えば、電池製造時または電池使用時における衝撃または振動などによって、発電要素３３０ｂを構成する各層が位置ずれまたは分離することを防止できる。これにより、電池の信頼性を、より向上させることができる。
【０２８０】
また、図２６および図２７に示されるように、第６電極層３３５と第３対極層３３２とは、それぞれ、第４導電部分１１４と第６導電部分２１２よりも狭い範囲に、形成されてもよい。
【０２８１】
また、図２６および図２７に示されるように、第６固体電解質層３３６は、第６電極層３３５と第３対極層３３２よりも大面積に、配置されてもよい。すなわち、第６固体電解質層３３６は、第６電極層３３５と第３対極層３３２とを覆う形で、配置されてもよい。これにより、第６電極層３３５と第３対極層３３２との直接接触による短絡を防止できる。
【０２８２】
また、図２６および図２７に示されるように、第６固体電解質層３３６は、第４導電部分１１４と第７導電部分２１３よりも狭い範囲に、配置されてもよい。もしくは、第６固体電解質層３３６の形成範囲は、第４導電部分１１４と第７導電部分２１３と同じ範囲であってもよい。
【０２８３】
なお、第１電極層３１１と第２電極層３２１と第３電極層３３１と第４電極層３１５と第５電極層３２５と第６電極層３３５は負極活物質層であってもよい。このとき、電極材料は負極活物質である。第１導電部分１１１は負極集電体である。第１対極層３１２と第２対極層３２２と第３対極層３３２と第４対極層３１４と第５対極層３２４と第６対極層３３４は正極活物質層である。対極材料は正極活物質である。第２導電部分１１２と第３導電部分１１３と第５導電部分２１１と第６導電部分２１２と第７導電部分２１３はバイポーラ集電体である。第４導電部分１１４は正極集電体である。
【０２８４】
もしくは、第１電極層３１１と第２電極層３２１と第３電極層３３１と第４電極層３１５と第５電極層３２５と第６電極層３３５は正極活物質層であってもよい。このとき、電極材料は正極活物質である。第１導電部分１１１は正極集電体である。第１対極層３１２と第２対極層３２２と第３対極層３３２と第４対極層３１４と第５対極層３２４と第６対極層３３４は負極活物質層である。対極材料は負極活物質である。第２導電部分１１２と第３導電部分１１３と第５導電部分２１１と第６導電部分２１２と第７導電部分２１３はバイポーラ集電体である。第４導電部分１１４は負極集電体である。
【０２８５】
図２８は、実施の形態２における電池２５００の概略構成を示すｙ−ｚ図（断面図）である。
【０２８６】
図２９は、実施の形態２における電池２６００の概略構成を示すｙ−ｚ図（断面図）である。
【０２８７】
図３０は、実施の形態２における電池２７００の概略構成を示すｙ−ｚ図（断面図）である。
【０２８８】
なお、第４絶縁部分２２１は、第４張出部分２２１ａと第４張出部分２２１ｂとのうちの少なくとも一方を有してもよい。
【０２８９】
第４張出部分２２１ａは、図２８と図３０に示されるような、第５導電部分２１１よりも第４対極層３１４が配置される側に張り出す部分（第４絶縁部分２２１の一部）である。
【０２９０】
以上の構成によれば、第５導電部分２１１と第６導電部分２１２とに挟まれる構成部材（例えば、発電要素３１０ｂ、発電要素３２０ａ、第２導電部分１１２、など）の側面を第４絶縁部分２２１により覆いながら、第５導電部分２１１よりも第４対極層３１４が配置される側に位置する構成部材（例えば、発電要素３１０ａ、第１導電部分１１１、など）の側面を、第４絶縁部分２２１の第４張出部分２２１ａにより、覆うことができる。これにより、電池外部に存在しうる部材（例えば、別の電池、など）と、第５導電部分２１１と第６導電部分２１２とに挟まれる構成部材の側面および第５導電部分２１１よりも第４対極層３１４が配置される側に位置する構成部材の側面が、互いに接触することを、第４絶縁部分２２１により、防ぐことができる。
【０２９１】
第４張出部分２２１ｂは、図２８と図２９に示されるような、第６導電部分２１２よりも第５電極層３２５が配置される側に張り出す部分（第４絶縁部分２２１の一部）である。
【０２９２】
以上の構成によれば、第５導電部分２１１と第６導電部分２１２とに挟まれる構成部材（例えば、発電要素３１０ｂ、発電要素３２０ａ、第２導電部分１１２、など）の側面を第４絶縁部分２２１により覆いながら、第６導電部分２１２よりも第５電極層３２５が配置される側に位置する構成部材（例えば、発電要素３２０ｂ、発電要素３３０ａ、第３導電部分１１３、など）の側面を、第４絶縁部分２２１の第４張出部分２２１ｂにより、覆うことができる。これにより、電池外部に存在しうる部材（例えば、別の電池、など）と、第５導電部分２１１と第６導電部分２１２とに挟まれる構成部材の側面および第６導電部分２１２よりも第５電極層３２５が配置される側に位置する構成部材の側面が、互いに接触することを、第４絶縁部分２２１により、防ぐことができる。
【０２９３】
なお、第５絶縁部分２２２は、第５張出部分２２２ａと第５張出部分２２２ｂとのうちの少なくとも一方を有してもよい。
【０２９４】
第５張出部分２２２ａは、図２８と図３０に示されるような、第６導電部分２１２よりも第５対極層３２４が配置される側に張り出す部分（第５絶縁部分２２２の一部）である。
【０２９５】
また、以上の構成によれば、第６導電部分２１２と第７導電部分２１３とに挟まれる構成部材（例えば、発電要素３２０ｂ、発電要素３３０ａ、第３導電部分１１３、など）の側面を第５絶縁部分２２２により覆いながら、第６導電部分２１２よりも第５対極層３２４が配置される側に位置する構成部材（例えば、発電要素３１０ｂ、発電要素３２０ａ、第２導電部分１１２、など）の側面を、第５絶縁部分２２２の第５張出部分２２２ａにより、覆うことができる。これにより、電池外部に存在しうる部材（例えば、別の電池、など）と、第６導電部分２１２と第７導電部分２１３とに挟まれる構成部材の側面および第６導電部分２１２よりも第５対極層３２４が配置される側に位置する構成部材の側面が、互いに接触することを、第５絶縁部分２２２により、防ぐことができる。
【０２９６】
第５張出部分２２２ｂは、図２８と図２９に示されるような、第７導電部分２１３よりも第６電極層３３５が配置される側に張り出す部分（第５絶縁部分２２２の一部）である。
【０２９７】
また、以上の構成によれば、第６導電部分２１２と第７導電部分２１３とに挟まれる構成部材（例えば、発電要素３２０ｂ、発電要素３３０ａ、第３導電部分１１３、など）の側面を第５絶縁部分２２２により覆いながら、第７導電部分２１３よりも第６電極層３３５が配置される側に位置する構成部材（例えば、発電要素３３０ｂ、第４導電部分１１４、など）の側面を、第５絶縁部分２２２の第５張出部分２２２ｂにより、覆うことができる。これにより、電池外部に存在しうる部材（例えば、別の電池、など）と、第６導電部分２１２と第７導電部分２１３とに挟まれる構成部材の側面および第６導電部分２１２よりも第５対極層３２４が配置される側に位置する構成部材の側面が、互いに接触することを、第５絶縁部分２２２により、防ぐことができる。
【０２９８】
図３１は、実施の形態２における電池２５１０の概略構成を示すｙ−ｚ図（断面図）である。
【０２９９】
図３２は、実施の形態２における電池２６１０の概略構成を示すｙ−ｚ図（断面図）である。
【０３００】
図３３は、実施の形態２における電池２７１０の概略構成を示すｙ−ｚ図（断面図）である。
【０３０１】
図３１と図３２と図３３とに示されるように、第２集電体２００は、第７導電部分２１３と連結される第６絶縁部分２２３を有してもよい。
【０３０２】
このとき、図３１と図３２と図３３とに示されるように、第４絶縁部分２２１と第６絶縁部分２２３とは、互いに、接触してもよい。
【０３０３】
以上の構成によれば、第５導電部分２１１と第６導電部分２１２とに挟まれる構成部材（例えば、発電要素３１０ｂ、発電要素３２０ａ、第２導電部分１１２、など）の側面を第４絶縁部分２２１により覆いながら、第６導電部分２１２と第７導電部分２１３とに挟まれる構成部材（例えば、発電要素３２０ｂ、発電要素３３０ａ、第３導電部分１１３、など）の側面を、第４絶縁部分２２１と第６絶縁部分２２３のうちの少なくとも一方により、覆うことができる。言い換えれば、第６導電部分２１２と第７導電部分２１３とに挟まれる構成部材の側面のうち、第５絶縁部分２２２により覆われる側面とは異なる側面を、第４絶縁部分２２１と第６絶縁部分２２３のうちの少なくとも一方により、覆うことができる。これにより、電池外部に存在しうる部材（例えば、別の電池、など）と、第５導電部分２１１と第７導電部分２１３とに挟まれる構成部材の側面とが、互いに接触することを、第４絶縁部分２２１および第６絶縁部分２２３により、防ぐことができる。また、電池の側面の一部が第４絶縁部分２２１および第６絶縁部分２２３により覆われることで、電池の構成部材（例えば、発電要素３２０ｂまたは発電要素３３０ａに含まれる対極材料、など）の一部が崩落した場合であっても、第４絶縁部分２２１および第６絶縁部分２２３により、当該崩落した構成部材が、電池内部の別の単電池セル部分（例えば発電要素３２０ａまたは発電要素３３０ｂ、など）または電池外部に移動することを抑制できる。したがって、電池の構成部材の崩落による、電池内部の短絡を抑制できる。これらにより、電池の信頼性を、より向上させることができる。
【０３０４】
なお、図３１と図３３に示されるように、第６絶縁部分２２３は、第６張出部分２２３ａを有してもよい。
【０３０５】
第６張出部分２２３ａは、図３１と図３３に示されるような、第６導電部分２１２よりも第３対極層３３２が配置される側に張り出す部分（第６絶縁部分２２３の一部）である。
【０３０６】
なお、図３１に示されるように、第４張出部分２２１ｂと第６張出部分２２３ａとが接触することで、第４絶縁部分２２１と第６絶縁部分２２３とは、互いに、接触してもよい。
【０３０７】
もしくは、図３２に示されるように、第４張出部分２２１ｂと第６絶縁部分２２３とが接触することで、第４絶縁部分２２１と第６絶縁部分２２３とは、互いに、接触してもよい。
【０３０８】
もしくは、図３３に示されるように、第４絶縁部分２２１と第６張出部分２２３ａとが接触することで、第４絶縁部分２２１と第６絶縁部分２２３とは、互いに、接触してもよい。
【０３０９】
なお、第５導電部分２１１と第６導電部分２１２と第７導電部分２１３は、導電性を有する部材である。第１導電部分１１１と第２導電部分１１２と第３導電部分１１３と第４導電部分１１４と第５導電部分２１１と第６導電部分２１２と第７導電部分２１３の構成（例えば、厚み、面積、形状、含有材料、など）は、互いに、同じであってもよいし、異なっていてもよい。
【０３１０】
また、第４絶縁部分２２１と第５絶縁部分２２２と第６絶縁部分２２３は、絶縁性の材料（すなわち、導電性が十分に低い材料）から構成される部材である。第１絶縁部分１２１と第２絶縁部分１２２と第３絶縁部分１２３と第４絶縁部分２２１と第５絶縁部分２２２と第６絶縁部分２２３の構成（例えば、厚み、面積、形状、含有材料、など）は、互いに、同じであってもよいし、異なっていてもよい。
【０３１１】
また、第４電極層３１５と第５電極層３２５と第６電極層３３５は、電極材料（例えば、活物質）を含む層である。第１電極層３１１と第２電極層３２１と第３電極層３３１と第４電極層３１５と第５電極層３２５と第６電極層３３５の構成（例えば、厚み、形成面積、形状、含有材料、など）は、互いに、同じであってもよいし、異なっていてもよい。
【０３１２】
また、第４対極層３１４と第５対極層３２４と第６対極層３３４は、対極材料（例えば、活物質）を含む層である。対極材料は、電極材料の対極を構成する材料である。第１対極層３１２と第２対極層３２２と第３対極層３３２と第４対極層３１４と第５対極層３２４と第６対極層３３４の構成（例えば、各層の厚み、形成面積、形状、含有材料、など）は、互いに、同じであってもよいし、異なっていてもよい。
【０３１３】
また、第４固体電解質層３１６と第５固体電解質層３２６と第６固体電解質層３３６は、固体電解質を含む固体電解質層である。第１固体電解質層３１３と第２固体電解質層３２３と第３固体電解質層３３３と第４固体電解質層３１６と第５固体電解質層３２６と第６固体電解質層３３６の構成（例えば、各層の厚み、形成面積、形状、含有材料、など）は、互いに、同じであってもよいし、異なっていてもよい。
【０３１４】
なお、実施の形態２における電池の製造方法は、後述の実施の形態３として、説明される。
【０３１５】
なお、実施の形態１または２においては、積層電池の側面（例えば、各絶縁部分よりも外側の部分）の一部（または、全部）は、各絶縁部分とは異なる絶縁材料（例えば、封止材）で被覆されてもよい。これにより、直列接続された発電要素を、より強固に封止することができる。このとき、封止材は、例えば、防湿性のラミネートシートであってもよい。これにより、発電要素が水分によって劣化することを、封止材によって、防止できる。また、積層電池は、封止ケースに内包されてもよい。封止ケースとしては、一般に公知の電池用ケース（例えば、ラミネート袋、金属缶、樹脂ケース、など）が用いられうる。
【０３１６】
また、実施の形態１または２における電池は、一対の外部電極をさらに備えてもよい。一対の外部電極は、積層電池の全体が封止材により封止される場合には、積層電池の上下面（または、側面）の外側に突出してもよい。外部電極の一方は、例えば、積層電池の一方の端に位置する第１導電部分１１１に接続されてもよい。このとき、外部電極のもう一方は、例えば、積層電池のもう一方の端に位置する導電部分に接続されてもよい。これにより、一対の外部電極に接続される負荷への放電、および、一対の外部電極に接続される充電装置により電池（各発電要素）の充電が可能となる。
【０３１７】
（実施の形態３）
以下、実施の形態３が説明される。上述の実施の形態１または２と重複する説明は、適宜、省略される。
【０３１８】
図３４は、実施の形態３における電池製造装置３０００の概略構成を示す図である。
【０３１９】
実施の形態３における電池製造装置３０００は、電極層形成部４１０と、対極層形成部４２０と、集電体折曲部４３０と、を備える。
【０３２０】
集電体折曲部４３０は、第１集電体１００を折り曲げる。
【０３２１】
第１集電体１００は、第１導電部分１１１と、第２導電部分１１２と、第１絶縁部分１２１と、を有する。
【０３２２】
第１絶縁部分１２１は、第１導電部分１１１と第２導電部分１１２とを連結する部材である。
【０３２３】
電極層形成部４１０は、第１導電部分１１１に接して、第１電極層３１１を形成する。
【０３２４】
対極層形成部４２０は、第２導電部分１１２に接して、第１対極層３１２を形成する。
【０３２５】
第１対極層３１２は、第１電極層３１１の対極である。
【０３２６】
図３５は、実施の形態３における電池製造方法の一例を示すフローチャートである。
【０３２７】
実施の形態３における電池製造方法は、実施の形態３における電池製造装置を用いた電池製造方法である。例えば、実施の形態３における電池製造方法は、実施の形態３における電池製造装置において実行される電池製造方法である。
【０３２８】
実施の形態３における電池製造方法は、第１電極層形成工程Ｓ１１０１（＝工程（ａ１））と、第１対極層形成工程Ｓ１２０１（＝工程（ｂ１））と、第１絶縁部分折曲工程Ｓ１３０１（＝工程（ｃ１））と、を包含する。
【０３２９】
第１電極層形成工程Ｓ１１０１は、電極層形成部４１０により、第１導電部分１１１に接して、第１電極層３１１を形成する工程である。
【０３３０】
第１対極層形成工程Ｓ１２０１は、対極層形成部４２０により、第２導電部分１１２に接して、第１対極層３１２を形成する工程である。
【０３３１】
第１絶縁部分折曲工程Ｓ１３０１は、集電体折曲部４３０により、第１絶縁部分１２１を折り曲げる工程である。
【０３３２】
第１絶縁部分折曲工程Ｓ１３０１は、第１電極層形成工程Ｓ１１０１および第１対極層形成工程Ｓ１２０１よりも後に、実行される工程である。
【０３３３】
第１絶縁部分折曲工程Ｓ１３０１において、集電体折曲部４３０により第１集電体１００が第１絶縁部分１２１において折り曲げられることで、第１電極層３１１と第１対極層３１２とは、互いに、対向して位置する。
【０３３４】
以上の構成によれば、電池の構成部材の間の接合強度を高めることができる。すなわち、第１絶縁部分１２１により互いに連結される第１導電部分１１１と第２導電部分１１２とに、それぞれ、第１電極層３１１と第１対極層３１２とを、形成することができる。これにより、第１導電部分１１１に配置される第１電極層３１１と第２導電部分１１２に配置される第１対極層３１２との位置関係を、第１絶縁部分１２１により（言い換えれば、１つの構成部材である第１集電体１００により）、強固に維持することができる。これにより、例えば、電池製造時における衝撃または振動などによって、電池を構成する各層（または、各素電池）が位置ずれまたは分離することを防止できる。これにより、電池製造時における歩留まりを向上させることができる。
【０３３５】
なお、第１集電体１００の構成（例えば、材料、厚み、など）としては、上述の実施の形態１または２における第１集電体１００として示された構成が、適宜、採用されうる。
【０３３６】
図３６は、実施の形態３における電池製造装置３１００の概略構成を示す図である。
【０３３７】
実施の形態３における電池製造装置３１００は、上述の実施の形態３における電池製造装置３０００の構成に加えて、下記の構成をさらに備える。
【０３３８】
すなわち、実施の形態３における電池製造装置３１００は、固体電解質層形成部４４０を備える。
【０３３９】
固体電解質層形成部４４０は、第１電極層３１１と第１対極層３１２とのうちの少なくとも一方の上に、第１固体電解質層３１３を形成する。
【０３４０】
図３７は、実施の形態３における電池製造方法の一例を示すフローチャートである。
【０３４１】
図３７に示される電池製造方法は、上述の図３５に示される電池製造方法の工程に加えて、下記の工程をさらに備える。
【０３４２】
すなわち、図３７に示される電池製造方法は、第１固体電解質層形成工程Ｓ１４０１（＝工程（ｆ１））を、さらに包含する。
【０３４３】
第１固体電解質層形成工程Ｓ１４０１は、固体電解質層形成部４４０により、第１電極層３１１と第１対極層３１２とのうちの少なくとも一方の上に、第１固体電解質層３１３を形成する工程である。
【０３４４】
以上の構成によれば、簡便な折り畳みプロセスで、固体電池セル（第１発電要素３１０）を作製できる。これにより、個別の各構成部材を多数積層するプロセスを用いる場合と比較して、各構成部材の位置ずれを抑制しながら、第１発電要素３１０を作製できる。
【０３４５】
以上の製造装置または製造方法によれば、実施の形態１における電池１０００を製造することができる。
【０３４６】
なお、第１集電体１００は、第３導電部分１１３と、第２絶縁部分１２２と、を有してもよい。
【０３４７】
第２絶縁部分１２２は、第２導電部分１１２と第３導電部分１１３とを連結する部材である。
【０３４８】
このとき、電極層形成部４１０は、第２導電部分１１２に接して、第２電極層３２１を形成してもよい。
【０３４９】
また、対極層形成部４２０は、第３導電部分１１３に接して、第２対極層３２２を形成してもよい。第２対極層３２２は、第２電極層３２１の対極である。
【０３５０】
図３８は、実施の形態３における電池製造方法の一例を示すフローチャートである。
【０３５１】
図３８に示される電池製造方法は、上述の図３５に示される電池製造方法の工程に加えて、下記の工程をさらに備える。
【０３５２】
すなわち、図３８に示される電池製造方法は、第２電極層形成工程Ｓ１１０２（＝工程（ａ２））と、第２対極層形成工程Ｓ１２０２（＝工程（ｂ２））と、第２絶縁部分折曲工程Ｓ１３０２（＝工程（ｃ２））と、をさらに包含する。
【０３５３】
第２電極層形成工程Ｓ１１０２は、電極層形成部４１０により、第２導電部分１１２に接して、第２電極層３２１を形成する工程である。
【０３５４】
第２対極層形成工程Ｓ１２０２は、対極層形成部４２０により、第３導電部分１１３に接して、第２対極層３２２を形成する工程である。
【０３５５】
第２絶縁部分折曲工程Ｓ１３０２は、集電体折曲部４３０により、第２絶縁部分１２２を折り曲げる工程である。
【０３５６】
第２絶縁部分折曲工程Ｓ１３０２は、第２電極層形成工程Ｓ１１０２および第２対極層形成工程Ｓ１２０２よりも後に、実行される工程である。
【０３５７】
第２絶縁部分折曲工程Ｓ１３０２において、集電体折曲部４３０により第１集電体１００が第２絶縁部分１２２において折り曲げられることで、第２電極層３２１と第２対極層３２２とは、互いに、対向して位置する。
【０３５８】
以上の構成によれば、電池の構成部材の間の接合強度を、より高めることができる。すなわち、第２絶縁部分１２２により互いに連結される第２導電部分１１２と第３導電部分１１３とに、それぞれ、第２電極層３２１と第２対極層３２２とを、形成することができる。これにより、第２導電部分１１２に配置される第２電極層３２１と第３導電部分１１３に配置される第２対極層３２２との位置関係を、第２絶縁部分１２２により（言い換えれば、１つの構成部材である第１集電体１００により）、強固に維持することができる。これにより、例えば、電池製造時における衝撃または振動などによって、電池を構成する各層（例えば、第２電極層３２１と第２対極層３２２）が位置ずれまたは分離することを防止できる。
【０３５９】
また、以上の構成によれば、簡便な折り畳みプロセスで、バイポーラ構造の電極が積層された積層電池を作製できる。すなわち、バイポーラ構造の電極（すなわち、第１集電体１００に各対極層と各電極層とを形成する工程により作製される電極）が付設された第１集電体１００の第１絶縁部分１２１と第２絶縁部分１２２とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０３６０】
なお、固体電解質層形成部４４０は、第２電極層３２１と第２対極層３２２とのうちの少なくとも一方の上に、第２固体電解質層３２３を形成してもよい。
【０３６１】
図３９は、実施の形態３における電池製造方法の一例を示すフローチャートである。
【０３６２】
図３９に示される電池製造方法は、上述の図３８に示される電池製造方法の工程に加えて、下記の工程をさらに備える。
【０３６３】
すなわち、図３９に示される電池製造方法は、上述の第１固体電解質層形成工程Ｓ１４０１と、第２固体電解質層形成工程Ｓ１４０２（＝工程（ｆ２））と、をさらに包含する。
【０３６４】
第２固体電解質層形成工程Ｓ１４０２は、固体電解質層形成部４４０により、第２電極層３２１と第２対極層３２２とのうちの少なくとも一方の上に、第２固体電解質層３２３を形成する工程である。
【０３６５】
以上の構成によれば、簡便な折り畳みプロセスで、それぞれの固体電池セル（第１発電要素３１０と第２発電要素３２０）を作製できる。これにより、個別の各構成部材を多数積層するプロセスを用いる場合と比較して、各構成部材の位置ずれを抑制しながら、複数の固体電池セル（すなわち、第１発電要素３１０と第２発電要素３２０）が直列に積層された積層電池を作製できる。
【０３６６】
以上の製造装置または製造方法によれば、実施の形態１における電池１１００を製造することができる。
【０３６７】
なお、第１集電体１００は、第４導電部分１１４と、第３絶縁部分１２３と、を有してもよい。
【０３６８】
第３絶縁部分１２３は、第３導電部分１１３と第４導電部分１１４とを連結する部材である。
【０３６９】
このとき、電極層形成部４１０は、第３導電部分１１３に接して、第３電極層３３１を形成してもよい。
【０３７０】
また、対極層形成部４２０は、第４導電部分１１４に接して、第３対極層３３２を形成してもよい。第３対極層３３２は、第３電極層３３１の対極である。
【０３７１】
図４０は、実施の形態３における電池製造方法の一例を示すフローチャートである。
【０３７２】
図４０に示される電池製造方法は、上述の図３８に示される電池製造方法の工程に加えて、下記の工程をさらに備える。
【０３７３】
すなわち、図４０に示される電池製造方法は、第３電極層形成工程Ｓ１１０３（＝工程（ａ３））と、第３対極層形成工程Ｓ１２０３（＝工程（ｂ３））と、第３絶縁部分折曲工程Ｓ１３０３（＝工程（ｃ３））と、をさらに包含する。
【０３７４】
第３電極層形成工程Ｓ１１０３は、電極層形成部４１０により、第３導電部分１１３に接して、第３電極層３３１を形成する工程である。
【０３７５】
第３対極層形成工程Ｓ１２０３は、第４導電部分１１４に接して、第３対極層３３２を形成する工程である。
【０３７６】
第３絶縁部分折曲工程Ｓ１３０３は、集電体折曲部４３０により、第３絶縁部分１２３を折り曲げる工程である。
【０３７７】
第３絶縁部分折曲工程Ｓ１３０３は、第３電極層形成工程Ｓ１１０３および第３対極層形成工程Ｓ１２０３よりも後に、実行される工程である。
【０３７８】
第３絶縁部分折曲工程Ｓ１３０３において、集電体折曲部４３０により第１集電体１００が第３絶縁部分１２３において折り曲げられることで、第３電極層３３１と第３対極層３３２とは、互いに、対向して位置する。
【０３７９】
以上の構成によれば、電池の構成部材の間の接合強度を、より高めることができる。すなわち、第３絶縁部分１２３により互いに連結される第３導電部分１１３と第４導電部分１１４とに、それぞれ、第３電極層３３１と第３対極層３３２とを、形成することができる。これにより、第３導電部分１１３に配置される第３電極層３３１と第４導電部分１１４に配置される第３対極層３３２との位置関係を、第３絶縁部分１２３により（言い換えれば、１つの構成部材である第１集電体１００により）、強固に維持することができる。これにより、例えば、電池製造時における衝撃または振動などによって、電池を構成する各層（例えば、第３電極層３３１と第３対極層３３２）が位置ずれまたは分離することを防止できる。
【０３８０】
また、以上の構成によれば、簡便な折り畳みプロセスで、バイポーラ構造の電極が積層された積層電池を作製できる。すなわち、バイポーラ構造の電極（すなわち、第１集電体１００に各対極層と各電極層とを形成する工程により作製される電極）が付設された第１集電体１００の第１絶縁部分１２１と第２絶縁部分１２２と第３絶縁部分１２３とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０３８１】
なお、固体電解質層形成部４４０は、第３電極層３３１と第３対極層３３２とのうちの少なくとも一方の上に、第３固体電解質層３３３を形成してもよい。
【０３８２】
図４１は、実施の形態３における電池製造方法の一例を示すフローチャートである。
【０３８３】
図４１に示される電池製造方法は、上述の図３９に示される電池製造方法の工程に加えて、下記の工程をさらに備える。
【０３８４】
すなわち、図４１に示される電池製造方法は、上述の第１固体電解質層形成工程Ｓ１４０１と、上述の第２固体電解質層形成工程Ｓ１４０２と、第３固体電解質層形成工程Ｓ１４０３（＝工程（ｆ３））と、をさらに包含する。
【０３８５】
第３固体電解質層形成工程Ｓ１４０３は、固体電解質層形成部４４０により、第３電極層３３１と第３対極層３３２とのうちの少なくとも一方の上に、第３固体電解質層３３３を形成する工程である。
【０３８６】
以上の構成によれば、簡便な折り畳みプロセスで、それぞれの固体電池セル（第１発電要素３１０と第２発電要素３２０と第３発電要素３３０）を作製できる。これにより、個別の各構成部材を多数積層するプロセスを用いる場合と比較して、各構成部材の位置ずれを抑制しながら、複数の固体電池セル（すなわち、第１発電要素３１０と第２発電要素３２０と第３発電要素３３０）が直列に積層された積層電池を作製できる。
【０３８７】
以上の製造装置または製造方法によれば、実施の形態１における電池１２００を製造することができる。
【０３８８】
以下に、実施の形態３における電池製造方法の具体的な一例が、説明される。
【０３８９】
まず、第１集電体準備工程Ｓ１００の一例が、説明される。
【０３９０】
第１集電体準備工程Ｓ１００は、図４０に示されるように、第１電極層形成工程Ｓ１１０１と、第２電極層形成工程Ｓ１１０２と、第３電極層形成工程Ｓ１１０３と、第１対極層形成工程Ｓ１２０１と、第２対極層形成工程Ｓ１２０２と、第３対極層形成工程Ｓ１２０３と、を包含する工程である。
【０３９１】
なお、第１集電体準備工程Ｓ１００は、図４１に示されるように、第１固体電解質層形成工程Ｓ１４０１と、第２固体電解質層形成工程Ｓ１４０２と、第３固体電解質層形成工程Ｓ１４０３と、をさらに包含してもよい。
【０３９２】
図４２は、実施の形態３における第１集電体１００の一例の概略構成を示す図である。
【０３９３】
図４２（ａ）は、実施の形態３における第１集電体１００の一例の概略構成を示すｘ−ｚ図（４２Ａ断面図）である。
【０３９４】
図４２（ｂ）は、実施の形態３における第１集電体１００の一例の概略構成を示すｘ−ｙ図（上面図）である。
【０３９５】
図４３は、第１電極層形成工程Ｓ１１０１と第２電極層形成工程Ｓ１１０２と第３電極層形成工程Ｓ１１０３の一例を示す図である。
【０３９６】
第１電極層形成工程Ｓ１１０１と第３電極層形成工程Ｓ１１０３とが実行されることにより、第１集電体１００の一方の主面（例えば、表面）に接して、第１電極層３１１と第３電極層３３１とが、それぞれ形成される。
【０３９７】
第２電極層形成工程Ｓ１１０２が実行されることにより、第１集電体１００のもう一方の主面（例えば、裏面）に接して、第２電極層３２１が、形成される。
【０３９８】
電極層形成部４１０は、例えば、塗工材料（すなわち、各電極層を構成する電極材料と溶媒とを共に練り込んだペースト状の塗料）を、予め準備された第１集電体１００の主面に、塗工してもよい。その後、塗工材料は乾燥されてもよい。さらに、塗工材料は、乾燥後にプレスされてもよい。これにより、各電極層における材料の密度を高めることができる。
【０３９９】
なお、第１電極層形成工程Ｓ１１０１と第２電極層形成工程Ｓ１１０２と第３電極層形成工程Ｓ１１０３の実行順序は、任意に決定されうる。
【０４００】
以上のように、各電極層は、第１集電体１００の主面上に、規則性を持って断続的に形成されてもよい。例えば、図４３に示すように、一定間隔で、矩形の領域に、各電極層が形成されてもよい。
【０４０１】
図４４は、第１対極層形成工程Ｓ１２０１と第２対極層形成工程Ｓ１２０２と第３対極層形成工程Ｓ１２０３の一例を示す図である。
【０４０２】
第１対極層形成工程Ｓ１２０１と第３対極層形成工程Ｓ１２０３とが実行されることにより、第１集電体１００の一方の主面（例えば、表面）に接して、第１対極層３１２と第３対極層３３２とが、それぞれ形成される。
【０４０３】
第２対極層形成工程Ｓ１２０２が実行されることにより、第１集電体１００のもう一方の主面（例えば、裏面）に接して、第２対極層３２２が、形成される。
【０４０４】
対極層形成部４２０は、例えば、塗工材料（すなわち、各対極層を構成する対極材料と溶媒とを共に練り込んだペースト状の塗料）を、予め準備された第１集電体１００の主面に、塗工してもよい。その後、塗工材料は乾燥されてもよい。さらに、塗工材料は、乾燥後にプレスされてもよい。これにより、各対極層における材料の密度を高めることができる。
【０４０５】
なお、第１対極層形成工程Ｓ１２０１と第２対極層形成工程Ｓ１２０２と第３対極層形成工程Ｓ１２０３の実行順序は、任意に決定されうる。
【０４０６】
以上のように、各対極層は、第１集電体１００の主面上に、規則性を持って断続的に形成されてもよい。例えば、図４４に示すように、一定間隔で、矩形の領域に、各対極層が形成されてもよい。
【０４０７】
なお、第１対極層形成工程Ｓ１２０１と第２対極層形成工程Ｓ１２０２と第３対極層形成工程Ｓ１２０３とは、第１電極層形成工程Ｓ１１０１と第２電極層形成工程Ｓ１１０２と第３電極層形成工程Ｓ１１０３よりも、前に実行されてもよいし、後に実行されてもよい。
【０４０８】
図４５は、第１固体電解質層形成工程Ｓ１４０１と第２固体電解質層形成工程Ｓ１４０２と第３固体電解質層形成工程Ｓ１４０３の一例を示す図である。
【０４０９】
固体電解質層形成部４４０は、例えば、塗工材料（すなわち、各固体電解質層を構成する材料と溶媒とを共に練り込んだペースト状の塗料）を、各対極層と各電極層とのうちの少なくとも一方の上に、塗工してもよい。その後、塗工材料は乾燥されてもよい。さらに、塗工材料は、乾燥後にプレスされてもよい。これにより、各固体電解質層における材料の密度を高めることができる。
【０４１０】
なお、第１固体電解質層形成工程Ｓ１４０１においては、図４５に示されるように、第１固体電解質層３１３は、第１電極層３１１および第１対極層３１２よりも広い範囲に形成されてもよい。これにより、第１導電部分１１１と第２導電部分１１２とに接して、第１固体電解質層３１３を配置することができる。
【０４１１】
また、第２固体電解質層形成工程Ｓ１４０２においては、図４５に示されるように、第２固体電解質層３２３は、第２電極層３２１および第２対極層３２２よりも広い範囲に形成されてもよい。これにより、第２導電部分１１２と第３導電部分１１３とに接して、第２固体電解質層３２３を配置することができる。
【０４１２】
また、第３固体電解質層形成工程Ｓ１４０３においては、図４５に示されるように、第３固体電解質層３３３は、第３電極層３３１および第３対極層３３２よりも広い範囲に形成されてもよい。これにより、第３導電部分１１３と第４導電部分１１４とに接して、第３固体電解質層３３３を配置することができる。
【０４１３】
なお、第１固体電解質層形成工程Ｓ１４０１と第２固体電解質層形成工程Ｓ１４０２と第３固体電解質層形成工程Ｓ１４０３の実行順序は、任意に決定されうる。
【０４１４】
なお、図４５に示されるように、各固体電解質層形成工程が実行されることにより、各固体電解質層が、各電極層および各対極層の両方の上に、形成されてもよい。この場合、各固体電解質層形成工程は、各電極層形成工程および各対極層形成工程よりも、後に実行される。
【０４１５】
図４６は、電極層と対極層と固体電解質層とが形成された第１集電体１００の概略構成を示すｘ−ｚ図（断面図）である。
【０４１６】
図４６（ａ）に示されるように、各固体電解質層形成工程が実行されることにより、各固体電解質層は、各電極層の上にのみ、形成されてもよい。この場合、各固体電解質層形成工程は、各電極層形成工程よりも、後に実行される。
【０４１７】
もしくは、図４６（ｂ）に示されるように、各固体電解質層形成工程が実行されることにより、各固体電解質層は、各対極層の上にのみ、形成されてもよい。この場合、各固体電解質層形成工程は、各対極層形成工程よりも、後に実行される。
【０４１８】
もしくは、図４６（ｃ）に示されるように、各固体電解質層形成工程が実行されることにより、各固体電解質層は、各電極層および各対極層の両方の上とともに、各導電部分および各絶縁部分の上にも、形成されてもよい。この場合、各固体電解質層形成工程は、各電極層形成工程および各対極層形成工程よりも、後に実行される。これにより、各固体電解質層を連続的に形成することができる。このため、各固体電解質層を形成する工程を、より簡便化できる。さらに、第１固体電解質層３１３と第３固体電解質層３３３とを構成する材料が同じである場合（すなわち、第１固体電解質層３１３と第３固体電解質層３３３となる塗工材料が同じである場合）には、第１固体電解質層形成工程Ｓ１４０１と第３固体電解質層形成工程Ｓ１４０３とは、連続的に、実行されうる。これにより、固体電解質層を形成する工程を、より簡便化できる。
【０４１９】
なお、図４６（ａ）および図４６（ｂ）に示されるように、各固体電解質層が不連続に形成される場合には、塗布する材料の量を低減できる。また、各絶縁部分の上に各固体電解質層を塗布しないことにより、各絶縁部分の折り曲げする際に、各固体電解質層に割れが発生し難くできる。
【０４２０】
図４７は、第１絶縁部分折曲工程Ｓ１３０１と第２絶縁部分折曲工程Ｓ１３０２と第３絶縁部分折曲工程Ｓ１３０３の一例を示すｘ−ｚ図（断面図）である。
【０４２１】
集電体折曲部４３０は、例えば、第１折曲用部材６１１と第２折曲用部材６１２と第３折曲用部材６１３（例えば、ロッド部材、ワイヤ部材、など）を備えてもよい。このとき、集電体折曲部４３０は、各絶縁部分に各折曲用部材を当てて、第１集電体１００と折曲用部材とのうちの少なくとも一方を移動させることで、各絶縁部分を折り曲げてもよい。
【０４２２】
なお、第１絶縁部分折曲工程Ｓ１３０１と第２絶縁部分折曲工程Ｓ１３０２と第３絶縁部分折曲工程Ｓ１３０３の実行順序は、任意に決定されうる。
【０４２３】
例えば、図４７に示されるように、第１絶縁部分折曲工程Ｓ１３０１と第２絶縁部分折曲工程Ｓ１３０２と第３絶縁部分折曲工程Ｓ１３０３とは、同時に実行されてもよい。
【０４２４】
図４８は、実施の形態３における電池製造装置３２００の概略構成を示す図である。
【０４２５】
実施の形態３における電池製造装置３２００は、上述の実施の形態３における電池製造装置３０００の構成に加えて、下記の構成をさらに備える。
【０４２６】
すなわち、実施の形態３における電池製造装置３２００は、張出部分形成部４５０を、さらに備える。
【０４２７】
張出部分形成部４５０は、第１張出部分１２１ａと第２張出部分１２２ａ（または、第２張出部分１２２ｂ）と第３張出部分１２３ａとを形成する。
【０４２８】
図４９は、実施の形態３における電池製造方法の一例を示すフローチャートである。
【０４２９】
図４９に示される電池製造方法は、上述の図４０または図４１に示される電池製造方法の工程に加えて、下記の工程をさらに備える。
【０４３０】
すなわち、図４９に示される電池製造方法は、第１張出部分形成工程Ｓ１５０１（＝工程（ｄ１））と、第２張出部分形成工程Ｓ１５０２（＝工程（ｄ２））と、第３張出部分形成工程Ｓ１５０３（＝工程（ｄ３））と、をさらに包含する。
【０４３１】
第１張出部分形成工程Ｓ１５０１は、第１絶縁部分折曲工程Ｓ１３０１よりも後に、実行される工程である。第１張出部分形成工程Ｓ１５０１は、張出部分形成部４５０により、第２導電部分１１２よりも第２電極層３２１が配置される側に第１絶縁部分１２１の一部を張り出させて、第１張出部分１２１ａを形成する工程である。
【０４３２】
以上の構成によれば、第２導電部分１１２よりも第２電極層３２１が配置される側に位置する構成部材（例えば、第２電極層３２１、第２対極層３２２、第２固体電解質層３２３、など）の側面を、第１絶縁部分１２１の第１張出部分１２１ａにより、覆うことができる。すなわち、個別の絶縁部材（すなわち、第１絶縁部分１２１とは異なる部材）を別途付設するプロセスを用いる場合と比較して、各構成部材の位置ずれを抑制しながら、簡便かつ低コストに、電池の側面を覆う構成を実現できる。
【０４３３】
第２張出部分形成工程Ｓ１５０２は、第２絶縁部分折曲工程Ｓ１３０２よりも後に、実行される工程である。第２張出部分形成工程Ｓ１５０２は、張出部分形成部４５０により、第２導電部分１１２よりも第１対極層３１２が配置される側に第２絶縁部分１２２の一部を張り出させて、第２張出部分１２２ａを形成する工程である。
【０４３４】
以上の構成によれば、第２導電部分１１２よりも第１対極層３１２が配置される側に位置する構成部材（例えば、第１電極層３１１、第１対極層３１２、第１固体電解質層３１３、など）の側面を、第２絶縁部分１２２の第２張出部分１２２ａにより、覆うことができる。すなわち、個別の絶縁部材（すなわち、第２絶縁部分１２２とは異なる部材）を別途付設するプロセスを用いる場合と比較して、各構成部材の位置ずれを抑制しながら、簡便かつ低コストに、電池の側面を覆う構成を実現できる。
【０４３５】
もしくは、第２張出部分形成工程Ｓ１５０２は、張出部分形成部４５０により、第３導電部分１１３よりも第３電極層３３１が配置される側に第２絶縁部分１２２の一部を張り出させて、第２張出部分１２２ｂを形成する工程であってもよい。
【０４３６】
以上の構成によれば第３導電部分１１３よりも第３電極層３３１が配置される側に位置する構成部材（例えば、第３電極層３３１、第３対極層３３２、第３固体電解質層３３３、など）の側面を、第２絶縁部分１２２の第２張出部分１２２ｂにより、覆うことができる。すなわち、個別の絶縁部材（すなわち、第２絶縁部分１２２とは異なる部材）を別途付設するプロセスを用いる場合と比較して、各構成部材の位置ずれを抑制しながら、簡便かつ低コストに、電池の側面を覆う構成を実現できる。
【０４３７】
第３張出部分形成工程Ｓ１５０３は、第３絶縁部分折曲工程Ｓ１３０３よりも後に、実行される工程である。第３張出部分形成工程Ｓ１５０３は、張出部分形成部４５０により、第３導電部分１１３よりも第２対極層３２２が配置される側に第３絶縁部分１２３の一部を張り出させて、第３張出部分１２３ａを形成する工程である。
【０４３８】
以上の構成によれば、第３導電部分１１３よりも第２対極層３２２が配置される側に位置する構成部材（例えば、第２電極層３２１、第２対極層３２２、第２固体電解質層３２３、など）の側面を、第３絶縁部分１２３の第３張出部分１２３ａにより、覆うことができる。すなわち、個別の絶縁部材（すなわち、第３絶縁部分１２３とは異なる部材）を別途付設するプロセスを用いる場合と比較して、各構成部材の位置ずれを抑制しながら、簡便かつ低コストに、電池の側面を覆う構成を実現できる。
【０４３９】
なお、第１張出部分形成工程Ｓ１５０１と第２張出部分形成工程Ｓ１５０２と第３張出部分形成工程Ｓ１５０３の実行順序は、任意に決定されうる。
【０４４０】
張出部分形成部４５０は、例えば、張出部分形成用部材（例えば、プレス板、ローラー、など）を備えてもよい。このとき、張出部分形成部４５０は、各絶縁部分に張出部分形成用部材を押し当てることで、各張出部分を形成してもよい。例えば、各絶縁部分が張出部分形成用部材によりプレスされることで、実施の形態１における電池１３００が製造されうる。もしくは、例えば、第１導電部分１１１が位置する側から第４導電部分１１４が位置する側に向かって、各絶縁部分を張出部分形成用部材によりプレスする（例えば、張出部分形成用部材を移動させる）ことで、実施の形態１における電池１４００が製造されうる。もしくは、例えば、第４導電部分１１４が位置する側から第１導電部分１１１が位置する側に向かって、各絶縁部分を張出部分形成用部材によりプレスする（例えば、張出部分形成用部材を移動させる）ことで、実施の形態１における電池１５００が製造されうる。
【０４４１】
なお、第１張出部分形成工程Ｓ１５０１と第３張出部分形成工程Ｓ１５０３とのうちの少なくとも一方が実行されることにより、第１絶縁部分１２１と第３絶縁部分１２３とは、互いに、接触されてもよい。
【０４４２】
以上の構成によれば、第２導電部分１１２と第３導電部分１１３とに挟まれる構成部材（例えば、第２電極層３２１、第２対極層３２２、第２固体電解質層３２３、など）の側面を、第１絶縁部分１２１と第３絶縁部分１２３のうちの少なくとも一方により、覆うことができる。すなわち、個別の絶縁部材（すなわち、第１絶縁部分１２１と第３絶縁部分１２３とは異なる部材）を別途付設するプロセスを用いる場合と比較して、各構成部材の位置ずれを抑制しながら、簡便かつ低コストに、電池の側面を覆う構成を実現できる。
【０４４３】
なお、第１張出部分形成工程Ｓ１５０１と第３張出部分形成工程Ｓ１５０３とにより、第１張出部分１２１ａと第３張出部分１２３ａとが形成され、かつ、これらが互いに接触することで、第１絶縁部分１２１と第３絶縁部分１２３とが互いに接触されてもよい（例えば、図１０）。
【０４４４】
もしくは、第１張出部分形成工程Ｓ１５０１により、第１張出部分１２１ａが形成され、かつ、第１張出部分１２１ａと第３絶縁部分１２３とが互いに接触することで、第１絶縁部分１２１と第３絶縁部分１２３とが互いに接触されてもよい（例えば、図１１）。
【０４４５】
もしくは、第３張出部分形成工程Ｓ１５０３により、第３張出部分１２３ａが形成され、かつ、第１絶縁部分１２１と第３張出部分１２３ａとが互いに接触することで、第１絶縁部分１２１と第３絶縁部分１２３とが互いに接触されてもよい（例えば、図１２）。
【０４４６】
図５０は、実施の形態３における電池製造装置３３００の概略構成を示す図である。
【０４４７】
実施の形態３における電池製造装置３３００は、上述の実施の形態３における電池製造装置３０００の構成に加えて、下記の構成をさらに備える。
【０４４８】
すなわち、実施の形態３における電池製造装置３３００は、絶縁部分収縮部４６０を、さらに備える。
【０４４９】
絶縁部分収縮部４６０は、第１絶縁部分１２１と第２絶縁部分１２２と第３絶縁部分１２３とを収縮させる。
【０４５０】
図５１は、実施の形態３における電池製造方法の一例を示すフローチャートである。
【０４５１】
図５１に示される電池製造方法は、上述の図４０または図４１に示される電池製造方法の工程に加えて、下記の工程をさらに備える。
【０４５２】
すなわち、図５１に示される電池製造方法は、第１絶縁部分収縮工程Ｓ１６０１（＝工程（ｅ１））と、第２絶縁部分収縮工程Ｓ１６０２（＝工程（ｅ２））と、第３絶縁部分収縮工程Ｓ１６０３（＝工程（ｅ３））と、をさらに包含する。
【０４５３】
第１絶縁部分収縮工程Ｓ１６０１は、第１絶縁部分折曲工程Ｓ１３０１よりも後に、実行される工程である。第１絶縁部分収縮工程Ｓ１６０１は、絶縁部分収縮部４６０により、第１絶縁部分１２１を収縮させる工程である。
【０４５４】
以上の構成によれば、第１絶縁部分１２１を収縮させることで、第１絶縁部分１２１による電池の構成部材の間の接合を、より強固にすることができる。
【０４５５】
第２絶縁部分収縮工程Ｓ１６０２は、第２絶縁部分折曲工程Ｓ１３０２よりも後に、実行される工程である。第２絶縁部分収縮工程Ｓ１６０２は、絶縁部分収縮部４６０により、第２絶縁部分１２２を収縮させる工程である。
【０４５６】
以上の構成によれば、第２絶縁部分１２２を収縮させることで、第２絶縁部分１２２による電池の構成部材の間の接合を、より強固にすることができる。
【０４５７】
第３絶縁部分収縮工程Ｓ１６０３は、第３絶縁部分折曲工程Ｓ１３０３よりも後に、実行される工程である。第３絶縁部分収縮工程Ｓ１６０３は、絶縁部分収縮部４６０により、第３絶縁部分１２３を収縮させる工程である。
【０４５８】
以上の構成によれば、第３絶縁部分１２３を収縮させることで、第３絶縁部分１２３による電池の構成部材の間の接合を、より強固にすることができる。
【０４５９】
図５２は、第１絶縁部分収縮工程Ｓ１６０１と第２絶縁部分収縮工程Ｓ１６０２と第３絶縁部分収縮工程Ｓ１６０３の一例を示すｘ−ｚ図（断面図）である。
【０４６０】
絶縁部分収縮部４６０は、例えば、絶縁部分収縮用部材（例えば、加熱装置、など）を備えてもよい。また、各絶縁部分は、熱収縮材料を含んでいてもよい。このとき、絶縁部分収縮部４６０は、加熱装置により各絶縁部分を加熱して、熱収縮材料を収縮させることで、各絶縁部分を収縮させてもよい。
【０４６１】
なお、第１絶縁部分収縮工程Ｓ１６０１と第２絶縁部分収縮工程Ｓ１６０２と第３絶縁部分収縮工程Ｓ１６０３の実行順序は、任意に決定されうる。
【０４６２】
例えば、図５２に示されるように、第１絶縁部分収縮工程Ｓ１６０１と第２絶縁部分収縮工程Ｓ１６０２と第３絶縁部分収縮工程Ｓ１６０３とは、同時に実行されてもよい。
【０４６３】
図５３は、実施の形態３における電池製造装置３４００の概略構成を示す図である。
【０４６４】
実施の形態３における電池製造装置３４００は、上述の実施の形態３における電池製造装置３１００の構成に加えて、下記の構成をさらに備える。
【０４６５】
すなわち、実施の形態３における電池製造装置３４００は、積層部４７０を、さらに備える。
【０４６６】
積層部４７０は、第１集電体１００と第２集電体２００とを積層する。
【０４６７】
第２集電体２００は、第５導電部分２１１を有する。第２集電体２００は、第６導電部分２１２と、第７導電部分２１３と、第４絶縁部分２２１と、第５絶縁部分２２２と、第６絶縁部分２２３と、をさらに有してもよい。
【０４６８】
第４絶縁部分２２１は、第５導電部分２１１と第６導電部分２１２とを連結する部材である。
【０４６９】
第５絶縁部分２２２は、第６導電部分２１２と第７導電部分２１３とを連結する部材である。
【０４７０】
第６絶縁部分２２３は、第７導電部分２１３と連結される部材である。
【０４７１】
図５４は、実施の形態３における第２集電体２００の一例の概略構成を示す図である。
【０４７２】
図５４（ａ）は、実施の形態３における第２集電体２００の一例の概略構成を示すｘ−ｚ図（５４Ａ断面図）である。
【０４７３】
図５４（ｂ）は、実施の形態３における第２集電体２００の一例の概略構成を示すｘ−ｙ図（上面図）である。
【０４７４】
なお、電極層形成部４１０は、第５導電部分２１１に接して、第４電極層３１５を形成してもよい。電極層形成部４１０は、第６導電部分２１２に接して、第５電極層３２５を形成してもよい。電極層形成部４１０は、第７導電部分２１３に接して、第６電極層３３５を形成してもよい。
【０４７５】
また、対極層形成部４２０は、第５導電部分２１１に接して、第４対極層３１４を形成してもよい。対極層形成部４２０は、第６導電部分２１２に接して、第５対極層３２４を形成してもよい。対極層形成部４２０は、第７導電部分２１３に接して、第６対極層３３４を形成してもよい。なお、第４対極層３１４と第５対極層３２４と第６対極層３３４は、第１電極層３１１と第２電極層３２１と第３電極層３３１と第４電極層３１５と第５電極層３２５と第６電極層３３５の対極である。
【０４７６】
図５５は、第２集電体準備工程Ｓ２００の一例を示す図である。
【０４７７】
第２集電体準備工程Ｓ２００は、第４電極層形成工程２１０１（＝工程（ａ４））と、第４対極層形成工程２２０１（＝工程（ｂ４））と、を包含する。
【０４７８】
第４電極層形成工程２１０１は、電極層形成部４１０により、第５導電部分２１１に接して、第４電極層３１５を形成する工程である。
【０４７９】
第４対極層形成工程２２０１は、対極層形成部４２０により、第５導電部分２１１に接して、第４対極層３１４を形成する工程である。
【０４８０】
なお、図５５に示されるように、第２集電体準備工程Ｓ２００は、第５電極層形成工程２１０２（＝工程（ａ５））と、第６電極層形成工程２１０３（＝工程（ａ６））と、第５対極層形成工程２２０２（＝工程（ｂ５））と、第６対極層形成工程２２０３（＝工程（ｂ６））と、をさらに包含してもよい。
【０４８１】
第５電極層形成工程２１０２は、電極層形成部４１０により、第６導電部分２１２に接して、第５電極層３２５を形成する工程である。
【０４８２】
第６電極層形成工程２１０３は、電極層形成部４１０により、第７導電部分２１３に接して、第６電極層３３５を形成する工程である。
【０４８３】
第５対極層形成工程２２０２は、対極層形成部４２０により、第６導電部分２１２に接して、第５対極層３２４を形成する工程である。
【０４８４】
第６対極層形成工程２２０３は、対極層形成部４２０により、第７導電部分２１３に接して、第６対極層３３４を形成する工程である。
【０４８５】
なお、第２集電体２００に各電極層を形成する各工程の具体的な方法としては、第１集電体１００に電極層を形成する方法として説明された方法が、用いられてもよい。
【０４８６】
また、第２集電体２００に各対極層を形成する各工程の具体的な方法としては、第１集電体１００に対極層を形成する方法として説明された方法が、用いられてもよい。
【０４８７】
なお、固体電解質層形成部４４０は、第１電極層３１１と第４対極層３１４とのうちの少なくとも一方の上に、第１固体電解質層３１３を形成してもよい。固体電解質層形成部４４０は、第２電極層３２１と第５対極層３２４とのうちの少なくとも一方の上に、第２固体電解質層３２３を形成してもよい。固体電解質層形成部４４０は、第３電極層３３１と第６対極層３３４とのうちの少なくとも一方の上に、第３固体電解質層３３３を形成してもよい。固体電解質層形成部４４０は、第４電極層３１５と第１対極層３１２とのうちの少なくとも一方の上に、第４固体電解質層３１６を形成してもよい。固体電解質層形成部４４０は、第５電極層３２５と第２対極層３２２とのうちの少なくとも一方の上に、第５固体電解質層３２６を形成してもよい。固体電解質層形成部４４０は、第６電極層３３５と第３対極層３３２とのうちの少なくとも一方の上に、第６固体電解質層３３６を形成してもよい。
【０４８８】
言い換えれば、図５５に示されるように、第２集電体準備工程Ｓ２００は、第１固体電解質層形成工程２４０１（＝工程（ｇ１））と、第２固体電解質層形成工程２４０２（＝工程（ｇ２））と、第３固体電解質層形成工程２４０３（＝工程（ｇ３））と、第４固体電解質層形成工程２４０４（＝工程（ｇ４））と、第５固体電解質層形成工程２４０５（＝工程（ｇ５））と、第６固体電解質層形成工程２４０６（＝工程（ｇ６））と、をさらに包含してもよい。
【０４８９】
第１固体電解質層形成工程２４０１は、固体電解質層形成部４４０により、第１電極層３１１と第４対極層３１４とのうちの少なくとも一方の上に、第１固体電解質層３１３を形成する工程である。
【０４９０】
第２固体電解質層形成工程２４０２は、固体電解質層形成部４４０により、第２電極層３２１と第５対極層３２４とのうちの少なくとも一方の上に、第２固体電解質層３２３を形成する工程である。
【０４９１】
第３固体電解質層形成工程２４０３は、固体電解質層形成部４４０により、第３電極層３３１と第６対極層３３４とのうちの少なくとも一方の上に、第３固体電解質層３３３を形成する工程である。
【０４９２】
第４固体電解質層形成工程２４０４は、固体電解質層形成部４４０により、第４電極層３１５と第１対極層３１２とのうちの少なくとも一方の上に、第４固体電解質層３１６を形成する工程である。
【０４９３】
第５固体電解質層形成工程２４０５は、固体電解質層形成部４４０により、第５電極層３２５と第２対極層３２２とのうちの少なくとも一方の上に、第５固体電解質層３２６を形成する工程である。
【０４９４】
第６固体電解質層形成工程２４０６は、固体電解質層形成部４４０により、第６電極層３３５と第３対極層３３２とのうちの少なくとも一方の上に、第６固体電解質層３３６を形成する工程である。
【０４９５】
以上の構成によれば、簡便な折り畳みプロセスで、それぞれの固体電池セル（それぞれの発電要素）を作製できる。これにより、個別の各構成部材を多数積層するプロセスを用いる場合と比較して、各構成部材の位置ずれを抑制しながら、複数の固体電池セルが直列に積層された積層電池を作製できる。
【０４９６】
なお、第２集電体２００に各個体電解質層を形成する各工程の具体的な方法としては、第１集電体１００に固体電解質層を形成する方法として説明された方法が、用いられてもよい。
【０４９７】
図５６は、第１集電体１００と第２集電体２００の組み合わせの一例を示す断面図である。
【０４９８】
図５６に示されるように、各個体電解質層は、第１集電体１００と第２集電体２００における全ての電極層と対極層の上に、形成されてもよい。
【０４９９】
図５７は、第１集電体１００と第２集電体２００の組み合わせの一例を示す断面図である。
【０５００】
図５７に示されるように、各個体電解質層は、第１集電体１００と第２集電体２００における全ての電極層と対極層の上に、連続的に、形成されてもよい。すなわち、各個体電解質層は、第１集電体１００と第２集電体２００における各絶縁部分の上にも、形成されてもよい。
【０５０１】
図５８は、第１集電体１００と第２集電体２００の組み合わせの一例を示す断面図である。
【０５０２】
図５８に示されるように、各個体電解質層は、第２集電体２００における電極層と対極層の上には形成されずに、第１集電体１００における電極層と対極層の上のみに、形成されてもよい。
【０５０３】
図５９は、第１集電体１００と第２集電体２００の組み合わせの一例を示す断面図である。
【０５０４】
図５９に示されるように、各個体電解質層は、第１集電体１００における電極層と対極層の上には形成されずに、第２集電体２００における電極層と対極層の上のみに、形成されてもよい。
【０５０５】
図６０は、第１集電体１００と第２集電体２００の組み合わせの一例を示す断面図である。
【０５０６】
図６０に示されるように、各個体電解質層は、第１集電体１００と第２集電体２００における対極層の上には形成されずに、第１集電体１００と第２集電体２００における電極層の上のみに、形成されてもよい。
【０５０７】
図６１は、第１集電体１００と第２集電体２００の組み合わせの一例を示す断面図である。
【０５０８】
図６１に示されるように、各個体電解質層は、第１集電体１００と第２集電体２００における電極層の上には形成されずに、第１集電体１００と第２集電体２００における対極層の上のみに、形成されてもよい。
【０５０９】
図６２は、実施の形態３における電池製造方法の一例を示すフローチャートである。
【０５１０】
図６２に示される電池製造方法は、第１集電体準備工程Ｓ１００と、第２集電体準備工程Ｓ２００と、積層工程Ｓ１７００（＝工程（ｓ１））と、第１絶縁部分折曲工程Ｓ１３０１と、を包含する。
【０５１１】
積層工程Ｓ１７００は、積層部４７０により、第４対極層３１４と第１電極層３１１とを互いに対向させて、第１集電体１００と第２集電体２００とを積層する工程である。
【０５１２】
第１絶縁部分折曲工程Ｓ１３０１は、積層工程Ｓ１７００よりも後に、実行される。
【０５１３】
第１絶縁部分折曲工程Ｓ１３０１において、集電体折曲部４３０により第１集電体１００が第１絶縁部分１２１において折り曲げられることで、第４電極層３１５と第１対極層３１２とは、互いに、対向して位置する。
【０５１４】
以上の構成によれば、簡便な折り畳みプロセスで、バイポーラ構造の電極が積層された積層電池を作製できる。すなわち、バイポーラ構造の電極（すなわち、第５導電部分２１１に第４対極層３１４と第４電極層３１５とを形成する工程により作製される電極）が付設された第２集電体２００が第１集電体１００により挟み込まれるように第１絶縁部分１２１を折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０５１５】
以上の製造装置または製造方法によれば、実施の形態２における電池２０００を製造することができる。
【０５１６】
図６３は、実施の形態３における電池製造方法の一例を示すフローチャートである。
【０５１７】
図６３に示される電池製造方法は、上述の図６２に示される電池製造方法の工程に加えて、下記の工程をさらに備える。
【０５１８】
すなわち、図６３に示される電池製造方法は、第４絶縁部分折曲工程Ｓ２３０１（＝工程（ｃ４））を、さらに包含する。
【０５１９】
第４絶縁部分折曲工程Ｓ２３０１は、第１絶縁部分折曲工程Ｓ１３０１よりも後に、実行される工程である。第４絶縁部分折曲工程Ｓ２３０１は、集電体折曲部４３０により、第４絶縁部分２２１を折り曲げる工程である。
【０５２０】
第４絶縁部分折曲工程Ｓ２３０１において、集電体折曲部４３０により第２集電体２００が第４絶縁部分２２１において折り曲げられることで、第２電極層３２１と第５対極層３２４とは、互いに、対向して位置する。
【０５２１】
以上の構成によれば、電池の構成部材の間の接合強度を、より高めることができる。すなわち、第４絶縁部分２２１により互いに連結される第５導電部分２１１と第６導電部分２１２とに、それぞれ、第４電極層３１５と第５対極層３２４とを、形成することができる。これにより、第５導電部分２１１に配置される第４電極層３１５と第６導電部分２１２に配置される第５対極層３２４との位置関係を、第４絶縁部分２２１により（言い換えれば、１つの構成部材である第２集電体２００により）、強固に維持することができる。これにより、例えば、電池製造時における衝撃または振動などによって、電池を構成する各層（例えば、第４電極層３１５と第５対極層３２４）が位置ずれまたは分離することを防止できる。
【０５２２】
また、以上の構成によれば、簡便な折り畳みプロセスで、バイポーラ構造の電極が積層された積層電池を作製できる。すなわち、バイポーラ構造の電極が付設された第１集電体１００の第１絶縁部分１２１と、バイポーラ構造の電極が付設された第２集電体２００の第４絶縁部分２２１とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０５２３】
以上の製造装置または製造方法によれば、実施の形態２における電池２１００を製造することができる。
【０５２４】
図６４は、実施の形態３における電池製造方法の一例を示すフローチャートである。
【０５２５】
図６４に示される電池製造方法は、上述の図６３に示される電池製造方法の工程に加えて、下記の工程をさらに備える。
【０５２６】
すなわち、図６４に示される電池製造方法は、第２絶縁部分折曲工程Ｓ１３０２を、さらに包含する。
【０５２７】
第２絶縁部分折曲工程Ｓ１３０２は、第４絶縁部分折曲工程Ｓ２３０１よりも後に、実行される。
【０５２８】
第２絶縁部分折曲工程Ｓ１３０２において、集電体折曲部４３０により第１集電体１００が第２絶縁部分１２２において折り曲げられることで、第５電極層３２５と第２対極層３２２とは、互いに、対向して位置する。
【０５２９】
以上の構成によれば、電池の構成部材の間の接合強度を、より高めることができる。すなわち、第２絶縁部分１２２により互いに連結される第２導電部分１１２と第３導電部分１１３とに、それぞれ、第２電極層３２１と第２対極層３２２とを、形成することができる。これにより、第２導電部分１１２に配置される第２電極層３２１と第３導電部分１１３に配置される第２対極層３２２との位置関係を、第２絶縁部分１２２により（言い換えれば、１つの構成部材である第１集電体１００により）、強固に維持することができる。これにより、例えば、電池製造時における衝撃または振動などによって、電池を構成する各層（例えば、第２電極層３２１と第２対極層３２２）が位置ずれまたは分離することを防止できる。
【０５３０】
また、以上の構成によれば、簡便な折り畳みプロセスで、バイポーラ構造の電極が積層された積層電池を作製できる。すなわち、バイポーラ構造の電極が付設された第１集電体１００の第１絶縁部分１２１および第２絶縁部分１２２と、バイポーラ構造の電極が付設された第２集電体２００の第４絶縁部分２２１とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０５３１】
以上の製造装置または製造方法によれば、実施の形態２における電池２２００を製造することができる。
【０５３２】
図６５は、実施の形態３における電池製造方法の一例を示すフローチャートである。
【０５３３】
図６５に示される電池製造方法は、上述の図６４に示される電池製造方法の工程に加えて、下記の工程をさらに備える。
【０５３４】
すなわち、図６５に示される電池製造方法は、第５絶縁部分折曲工程Ｓ２３０２（＝工程（ｃ５））を、さらに包含する。
【０５３５】
第５絶縁部分折曲工程Ｓ２３０２は、第２絶縁部分折曲工程Ｓ１３０２よりも後に、実行される工程である。
【０５３６】
第５絶縁部分折曲工程Ｓ２３０２において、集電体折曲部４３０により第２集電体２００が第５絶縁部分２２２において折り曲げられることで、第３電極層３３１と第６対極層３３４とは、互いに、対向して位置する。
【０５３７】
以上の構成によれば、電池の構成部材の間の接合強度を、より高めることができる。すなわち、第５絶縁部分２２２により互いに連結される第６導電部分２１２と第７導電部分２１３とに、それぞれ、第５電極層３２５と第６対極層３３４とを、形成することができる。これにより、第６導電部分２１２に配置される第５電極層３２５と第７導電部分２１３に配置される第６対極層３３４との位置関係を、第５絶縁部分２２２により（言い換えれば、１つの構成部材である第２集電体２００により）、強固に維持することができる。これにより、例えば、電池製造時における衝撃または振動などによって、電池を構成する各層（例えば、第５電極層３２５と第６対極層３３４）が位置ずれまたは分離することを防止できる。
【０５３８】
また、以上の構成によれば、簡便な折り畳みプロセスで、バイポーラ構造の電極が積層された積層電池を作製できる。すなわち、バイポーラ構造の電極が付設された第１集電体１００の第１絶縁部分１２１および第２絶縁部分１２２と、バイポーラ構造の電極が付設された第２集電体２００の第４絶縁部分２２１および第５絶縁部分２２２とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０５３９】
以上の製造装置または製造方法によれば、実施の形態２における電池２３００を製造することができる。
【０５４０】
図６６は、実施の形態３における電池製造方法の一例を示すフローチャートである。
【０５４１】
図６６に示される電池製造方法は、上述の図６５に示される電池製造方法の工程に加えて、下記の工程をさらに備える。
【０５４２】
すなわち、図６６に示される電池製造方法は、第３絶縁部分折曲工程Ｓ１３０３を、さらに包含する。
【０５４３】
第３絶縁部分折曲工程Ｓ１３０３は、第５絶縁部分折曲工程Ｓ２３０２よりも後に、実行される。
【０５４４】
第３絶縁部分折曲工程Ｓ１３０３において、集電体折曲部４３０により第１集電体１００が第３絶縁部分１２３において折り曲げられることで、第６電極層３３５と第３対極層３３２とは、互いに、対向して位置する。
【０５４５】
以上の構成によれば、電池の構成部材の間の接合強度を、より高めることができる。すなわち、第３絶縁部分１２３により互いに連結される第３導電部分１１３と第４導電部分１１４とに、それぞれ、第３電極層３３１と第３対極層３３２とを、形成することができる。これにより、第３導電部分１１３に配置される第３電極層３３１と第４導電部分１１４に配置される第３対極層３３２との位置関係を、第３絶縁部分１２３により（言い換えれば、１つの構成部材である第１集電体１００により）、強固に維持することができる。これにより、例えば、電池製造時における衝撃または振動などによって、電池を構成する各層（例えば、第３電極層３３１と第３対極層３３２）が位置ずれまたは分離することを防止できる。
【０５４６】
また、以上の構成によれば、簡便な折り畳みプロセスで、バイポーラ構造の電極が積層された積層電池を作製できる。すなわち、バイポーラ構造の電極が付設された第１集電体１００の第１絶縁部分１２１および第２絶縁部分１２２および第３絶縁部分１２３と、バイポーラ構造の電極が付設された第２集電体２００の第４絶縁部分２２１および第５絶縁部分２２２とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０５４７】
以上の製造装置または製造方法によれば、実施の形態２における電池２４００を製造することができる。
【０５４８】
図６７は、積層工程Ｓ１７００と各絶縁部分折曲工程の一例を示すｘ−ｙ図（上面図）である。
【０５４９】
上述の図６６に示される電池製造方法が実施されることにより、第１集電体１００と第２集電体２００とが積層される。例えば、図６７の（ａ）に示されるように、第１集電体１００と第２集電体２００とが直交するように配置されて積層される。その後、第１集電体１００の各絶縁部分と第２集電体２００の各絶縁部分とが、交互に、折り畳まれる。これにより、図６７の（ｇ）に示される積層構造の電池（実施の形態２における電池２３００）が得られる。
【０５５０】
さらに、図６７に示される一例においては、第１集電体１００と第２集電体２００とは、さらなる導電部分と絶縁部分と発電要素の部材（電極層、対極層、固体電解質層）とを備えている。これにより、図６７の（ｈ）（ｉ）（ｊ）に示されるように、折り畳みを続けることができる。これにより、実施の形態２における電池２３００よりも多くの発電要素が積層された電池を作製することができる。
【０５５１】
なお、図６７に示されるように、各導電部分の形状（および、電極層と対極層と固体電解質層の形成範囲）は、正方形であってもよい。
【０５５２】
図６８は、第１集電体１００と第２集電体２００の積層の一例を示すｘ−ｙ図（上面図）である。
【０５５３】
図６８に示されるように、各導電部分の形状（および、電極層と対極層と固体電解質層の形成範囲）は、長方形であってもよい。このように、各導電部分の形状を正方形ではない形状（例えば、長方形などの矩形）とすることで、これらが積層されて成る積層電池の形状を任意に設計できる。
【０５５４】
なお、張出部分形成部４５０は、第４張出部分と第５張出部分とを形成してもよい。
【０５５５】
図６９は、実施の形態３における電池製造方法の一例を示すフローチャートである。
【０５５６】
図６９に示される電池製造方法は、上述の図６６に示される電池製造方法の工程に加えて、下記の工程をさらに備える。
【０５５７】
すなわち、図６９に示される電池製造方法は、第４張出部分形成工程Ｓ２５０１（＝工程（ｄ４））と、第５張出部分形成工程Ｓ２５０２（＝工程（ｄ５））と、をさらに包含する。
【０５５８】
第４張出部分形成工程Ｓ２５０１は、第４絶縁部分折曲工程Ｓ２３０１よりも後に、実行される工程である。第４張出部分形成工程Ｓ２５０１は、張出部分形成部４５０により、第５導電部分２１１よりも第４対極層３１４が配置される側に第４絶縁部分２２１の一部を張り出させて、第４張出部分２２１ａを形成する工程である。
【０５５９】
以上の構成によれば、第５導電部分２１１よりも第４対極層３１４が配置される側に位置する構成部材（例えば、発電要素３１０ａ、第１導電部分１１１、など）の側面を、第４絶縁部分２２１の第４張出部分２２１ａにより、覆うことができる。すなわち、個別の絶縁部材（すなわち、第４絶縁部分２２１とは異なる部材）を別途付設するプロセスを用いる場合と比較して、各構成部材の位置ずれを抑制しながら、簡便かつ低コストに、電池の側面を覆う構成を実現できる。
【０５６０】
もしくは、第４張出部分形成工程Ｓ２５０１は、張出部分形成部４５０により、第６導電部分２１２よりも第５電極層３２５が配置される側に第４絶縁部分２２１の一部を張り出させて、第４張出部分２２１ｂを形成する工程である。
【０５６１】
以上の構成によれば、第６導電部分２１２よりも第５電極層３２５が配置される側に位置する構成部材（例えば、発電要素３２０ｂ、発電要素３３０ａ、第３導電部分１１３、など）の側面を、第４絶縁部分２２１の第４張出部分２２１ｂにより、覆うことができる。すなわち、個別の絶縁部材（すなわち、第４絶縁部分２２１とは異なる部材）を別途付設するプロセスを用いる場合と比較して、各構成部材の位置ずれを抑制しながら、簡便かつ低コストに、電池の側面を覆う構成を実現できる。
【０５６２】
第５張出部分形成工程Ｓ２５０２は、第５絶縁部分折曲工程Ｓ２３０２よりも後に、実行される工程である。第５張出部分形成工程Ｓ２５０２は、張出部分形成部４５０により、第６導電部分２１２よりも第５対極層３２４が配置される側に第５絶縁部分２２２の一部を張り出させて、第５張出部分２２２ａを形成する工程である。
【０５６３】
以上の構成によれば、第６導電部分２１２よりも第５対極層３２４が配置される側に位置する構成部材（例えば、発電要素３１０ｂ、発電要素３２０ａ、第２導電部分１１２、など）の側面を、第５絶縁部分２２２の第５張出部分２２２ａにより、覆うことができる。すなわち、個別の絶縁部材（すなわち、第５絶縁部分２２２とは異なる部材）を別途付設するプロセスを用いる場合と比較して、各構成部材の位置ずれを抑制しながら、簡便かつ低コストに、電池の側面を覆う構成を実現できる。
【０５６４】
もしくは、第５張出部分形成工程Ｓ２５０２は、張出部分形成部４５０により、第７導電部分２１３よりも第６電極層３３５が配置される側に第５絶縁部分２２２の一部を張り出させて、第５張出部分２２２ｂを形成する工程である。
【０５６５】
以上の構成によれば、第７導電部分２１３よりも第６電極層３３５が配置される側に位置する構成部材（例えば、発電要素３３０ｂ、第４導電部分１１４、など）の側面を、第５絶縁部分２２２の第５張出部分２２２ｂにより、覆うことができる。すなわち、個別の絶縁部材（すなわち、第５絶縁部分２２２とは異なる部材）を別途付設するプロセスを用いる場合と比較して、各構成部材の位置ずれを抑制しながら、簡便かつ低コストに、電池の側面を覆う構成を実現できる。
【０５６６】
なお、第４張出部分形成工程Ｓ２５０１と第５張出部分形成工程Ｓ２５０２の実行順序は、任意に決定されうる。
【０５６７】
張出部分形成部４５０は、例えば、張出部分形成用部材（例えば、プレス板、ローラー、など）を備えてもよい。このとき、張出部分形成部４５０は、各絶縁部分に張出部分形成用部材を押し当てることで、各張出部分を形成してもよい。例えば、各絶縁部分が張出部分形成用部材によりプレスされることで、実施の形態２における電池２５００が製造されうる。もしくは、例えば、第１導電部分１１１が位置する側から第４導電部分１１４が位置する側に向かって、各絶縁部分を張出部分形成用部材によりプレスする（例えば、張出部分形成用部材を移動させる）ことで、実施の形態２における電池２６００が製造されうる。もしくは、例えば、第４導電部分１１４が位置する側から第１導電部分１１１が位置する側に向かって、各絶縁部分を張出部分形成用部材によりプレスする（例えば、張出部分形成用部材を移動させる）ことで、実施の形態２における電池２７００が製造されうる。
【０５６８】
なお、第４張出部分形成工程Ｓ２５０１と第５張出部分形成工程Ｓ２５０２とともに、第１張出部分形成工程Ｓ１５０１と第２張出部分形成工程Ｓ１５０２と第３張出部分形成工程Ｓ１５０３とが、実行されてもよい。
【０５６９】
以上の構成によれば、第４絶縁部分２２１と第５絶縁部分２２２が位置する側面を第４絶縁部分２２１と第５絶縁部分２２２により覆わせながら、第１絶縁部分１２１と第２絶縁部分１２２と第３絶縁部分１２３が位置する側面を、第１絶縁部分１２１と第２絶縁部分１２２と第３絶縁部分１２３により、覆わせることができる。
【０５７０】
なお、第２集電体２００は、第７導電部分２１３と連結される第６絶縁部分２２３を有してもよい。
【０５７１】
このとき、第４張出部分形成工程Ｓ２５０１により、第４絶縁部分２２１と第６絶縁部分２２３とは、互いに、接触されてもよい。
【０５７２】
以上の構成によれば、第６導電部分２１２と第７導電部分２１３とに挟まれる構成部材（例えば、発電要素３２０ｂ、発電要素３３０ａ、第３導電部分１１３、など）の側面を、第４絶縁部分２２１と第６絶縁部分２２３のうちの少なくとも一方により、覆うことができる。すなわち、個別の絶縁部材（すなわち、第４絶縁部分２２１と第６絶縁部分２２３とは異なる部材）を別途付設するプロセスを用いる場合と比較して、各構成部材の位置ずれを抑制しながら、簡便かつ低コストに、電池の側面を覆う構成を実現できる。
【０５７３】
なお、第４張出部分形成工程Ｓ２５０１により第４張出部分２２１ｂが形成され、かつ、第４張出部分２２１ｂと第６絶縁部分２２３の第６張出部分２２３ａが互いに接触することで、第４絶縁部分２２１と第６絶縁部分２２３とが互いに接触されてもよい（例えば、図３１）。
【０５７４】
もしくは、第４張出部分形成工程Ｓ２５０１により第４張出部分２２１ｂが形成され、かつ、第４張出部分２２１ｂと第６絶縁部分２２３とが互いに接触することで、第４絶縁部分２２１と第６絶縁部分２２３とが互いに接触されてもよい（例えば、図３２）。
【０５７５】
もしくは、第６絶縁部分２２３に第６張出部分２２３ａが形成され、かつ、第４絶縁部分２２１と第６張出部分２２３ａとが互いに接触することで、第４絶縁部分２２１と第６絶縁部分２２３とが互いに接触されてもよい（例えば、図３３）。
【０５７６】
なお、絶縁部分収縮部４６０は、第４絶縁部分２２１と第５絶縁部分２２２とを収縮させてもよい。
【０５７７】
図７０は、実施の形態３における電池製造方法の一例を示すフローチャートである。
【０５７８】
図７０に示される電池製造方法は、上述の図６６に示される電池製造方法の工程に加えて、下記の工程をさらに備える。
【０５７９】
すなわち、図７０に示される電池製造方法は、第４絶縁部分収縮工程Ｓ２６０１（＝工程（ｅ４））と、第５絶縁部分収縮工程Ｓ２６０２（＝工程（ｅ５））と、をさらに包含する。
【０５８０】
第４絶縁部分収縮工程Ｓ２６０１は、第４絶縁部分折曲工程Ｓ２３０１よりも後に、実行される工程である。第４絶縁部分収縮工程Ｓ２６０１は、絶縁部分収縮部４６０により、第４絶縁部分２２１を収縮させる工程である。
【０５８１】
以上の構成によれば、第４絶縁部分２２１を収縮させることで、第４絶縁部分２２１による電池の構成部材の間の接合を、より強固にすることができる。
【０５８２】
第５絶縁部分収縮工程Ｓ２６０２は、第５絶縁部分折曲工程Ｓ２３０２よりも後に、実行される工程である。第５絶縁部分収縮工程Ｓ２６０２は、絶縁部分収縮部４６０により、第５絶縁部分２２２を収縮させる工程である。
【０５８３】
また、以上の構成によれば、第５絶縁部分２２２を収縮させることで、第５絶縁部分２２２による電池の構成部材の間の接合を、より強固にすることができる。
【０５８４】
なお、第４絶縁部分２２１と第５絶縁部分２２２とは、熱収縮材料を含んでいてもよい。このとき、第４絶縁部分２２１と第５絶縁部分２２２とを収縮させる方法としては、上述の第１絶縁部分１２１と第２絶縁部分１２２と第３絶縁部分１２３とを収縮させる方法と同じ方法が、用いられてもよい。
【０５８５】
なお、実施の形態３においては、電極層形成部４１０と対極層形成部４２０と固体電解質層形成部４４０は、それぞれ、例えば、塗工材料（例えば、電極材料、対極材料、固体電解質材料、など）を吐出する吐出機構（例えば、吐出口）、吐出機構に塗工材料を供給する供給機構（例えば、タンクおよび供給管）、塗工対象などを移動させる移動機構（例えば、ローラー）、加圧圧迫するプレス機構（例えば、プレス台およびシリンダ）、など、を備えてもよい。これらの機構については、一般に公知の装置および部材が、適宜、用いられうる。
【０５８６】
また、実施の形態３においては、集電体折曲部４３０は、例えば、折曲対象を折り曲げる折曲機構（例えば、ロッド部材、ワイヤ部材、など）、折曲対象などを移動させる移動機構（例えば、ローラー）、など、を備えてもよい。これらの機構については、一般に公知の装置および部材が、適宜、用いられうる。
【０５８７】
また、実施の形態３においては、積層部４７０は、例えば、積層対象（例えば、第１集電体１００と第２集電体２００）などを移動させる移動機構（例えば、ローラー）、積層対象の位置を調整する調整機構、など、を備えてもよい。これらの機構については、一般に公知の装置および部材が、適宜、用いられうる。
【０５８８】
また、実施の形態３における電池製造装置は、制御部５００を、さらに備えてもよい。制御部５００は、電極層形成部４１０と対極層形成部４２０と集電体折曲部４３０と固体電解質層形成部４４０と張出部分形成部４５０と絶縁部分収縮部４６０と積層部４７０の動作を制御する。
【０５８９】
制御部５００は、例えば、プロセッサとメモリとにより、構成されてもよい。当該プロセッサは、例えば、ＣＰＵ（Ｃｅｎｔｒａｌ  Ｐｒｏｃｅｓｓｉｎｇ  Ｕｎｉｔ）またはＭＰＵ（Ｍｉｃｒｏ−Ｐｒｏｃｅｓｓｉｎｇ  Ｕｎｉｔ）などであってもよい。このとき、当該プロセッサは、メモリに記憶されているプログラムを読み出して実行することで、本開示で示される制御方法（電池製造方法）を実行してもよい。
【０５９０】
なお、実施の形態３における電池製造方法においては、電極層と対極層と固体電解質層とは、塗工工法だけでなく、他の工法（例えば、順次積層、貼り合わせ、転写、など）、または、塗工工法と他の工法との組合せ工法、などにより、形成されてもよい。
【０５９１】
また、実施の形態３における電池製造方法においては、折曲工程の後などにおいて、プレス機などにより、各発電要素を加圧プレスしてもよい。これにより、高充填密度化および密着性の強化が実現できる。すなわち、各層の積層方向において、加圧圧迫することにより、各層が緻密となり、かつ、互いに良好な接合状態とすることができる。
【０５９２】
また、実施の形態３における電池製造方法においては、折曲工程の後などにおいて、各絶縁部分の一部（または、全ての絶縁部分）を、除去（例えば、切断）してもよい。これにより、電池の体積エネルギー密度および重量エネルギー密度を、より向上させることができる。
【産業上の利用可能性】
【０５９３】
本開示の電池は、電子機器、電気器具装置、電気車両、など、の電池（例えば、全固体二次電池）として、利用されうる。
【符号の説明】
【０５９４】
１００    第１集電体
１１１    第１導電部分
１１２    第２導電部分
１１３    第３導電部分
１１４    第４導電部分
１２１    第１絶縁部分
１２１ａ    第１張出部分
１２２    第２絶縁部分
１２２ａ，１２２ｂ    第２張出部分
１２３    第３絶縁部分
１２３ａ    第３張出部分
２００    第２集電体
２１１    第５導電部分
２１２    第６導電部分
２１３    第７導電部分
２２１    第４絶縁部分
２２１ａ，２２１ｂ    第４張出部分
２２２    第５絶縁部分
２２２ａ，２２２ｂ    第５張出部分
２２３    第６絶縁部分
２２３ａ    第６張出部分
３１０    第１発電要素
３１１    第１電極層
３１２    第１対極層
３１３    第１固体電解質層
３１４    第４対極層
３１５    第４電極層
３１６    第４固体電解質層
３１０ａ    発電要素
３１０ｂ    発電要素
３２０    第２発電要素
３２１    第２電極層
３２２    第２対極層
３２３    第２固体電解質層
３２４    第５対極層
３２５    第５電極層
３２６    第５固体電解質層
３２０ａ    発電要素
３２０ｂ    発電要素
３３０    第３発電要素
３３１    第３電極層
３３２    第３対極層
３３３    第３固体電解質層
３３４    第６対極層
３３５    第６電極層
３３６    第６固体電解質層
３３０ａ    発電要素
３３０ｂ    発電要素
４１０    電極層形成部
４２０    対極層形成部
４３０    集電体折曲部
４４０    固体電解質層形成部
４５０    張出部分形成部
４６０    絶縁部分収縮部
４７０    積層部
５００    制御部
１０００，１１００，１２００，１３００，１４００，１５００，２０００，２１００，２２００，２３００，２４００，２５００，２６００，２７００，２５１０，２６１０，２７１０    電池
３０００，３１００，３２００，３３００，３４００    電池製造装置
【図１】
2018181837.tif 000003
【図２】
2018181837.tif 000004
【図３】
2018181837.tif 000005
【図４】
2018181837.tif 000006
【図５】
2018181837.tif 000007
【図６】
2018181837.tif 000008
【図７】
2018181837.tif 000009
【図８】
2018181837.tif 000010
【図９】
2018181837.tif 000011
【図１０】
2018181837.tif 000012
【図１１】
2018181837.tif 000013
【図１２】
2018181837.tif 000014
【図１３】
2018181837.tif 000015
【図１４】
2018181837.tif 000016
【図１５】
2018181837.tif 000017
【図１６】
2018181837.tif 000018
【図１７】
2018181837.tif 000019
【図１８】
2018181837.tif 000020
【図１９】
2018181837.tif 000021
【図２０】
2018181837.tif 000022
【図２１】
2018181837.tif 000023
【図２２】
2018181837.tif 000024
【図２３】
2018181837.tif 000025
【図２４】
2018181837.tif 000026
【図２５】
2018181837.tif 000027
【図２６】
2018181837.tif 000028
【図２７】
2018181837.tif 000029
【図２８】
2018181837.tif 000030
【図２９】
2018181837.tif 000031
【図３０】
2018181837.tif 000032
【図３１】
2018181837.tif 000033
【図３２】
2018181837.tif 000034
【図３３】
2018181837.tif 000035
【図３４】
2018181837.tif 000036
【図３５】
2018181837.tif 000037
【図３６】
2018181837.tif 000038
【図３７】
2018181837.tif 000039
【図３８】
2018181837.tif 000040
【図３９】
2018181837.tif 000041
【図４０】
2018181837.tif 000042
【図４１】
2018181837.tif 000043
【図４２】
2018181837.tif 000044
【図４３】
2018181837.tif 000045
【図４４】
2018181837.tif 000046
【図４５】
2018181837.tif 000047
【図４６】
2018181837.tif 000048
【図４７】
2018181837.tif 000049
【図４８】
2018181837.tif 000050
【図４９】
2018181837.tif 000051
【図５０】
2018181837.tif 000052
【図５１】
2018181837.tif 000053
【図５２】
2018181837.tif 000054
【図５３】
2018181837.tif 000055
【図５４】
2018181837.tif 000056
【図５５】
2018181837.tif 000057
【図５６】
2018181837.tif 000058
【図５７】
2018181837.tif 000059
【図５８】
2018181837.tif 000060
【図５９】
2018181837.tif 000061
【図６０】
2018181837.tif 000062
【図６１】
2018181837.tif 000063
【図６２】
2018181837.tif 000064
【図６３】
2018181837.tif 000065
【図６４】
2018181837.tif 000066
【図６５】
2018181837.tif 000067
【図６６】
2018181837.tif 000068
【図６７】
2018181837.tif 000069
【図６８】
2018181837.tif 000070
【図６９】
2018181837.tif 000071
【図７０】
2018181837.tif 000072